(57)【要約】  評価入力装置（１００）は、特定の作物を栽培する特定の圃場において行われるべき複数の作業を複数の作業のそれぞれが行われるべき計画作業時期と対応づけて登録し、複数の作業のそれぞれについて実施時期の入力を受け付ける。評価入力装置（１００）は、複数の作業のそれぞれが計画作業時期の時期順に並べてリスト表示され、複数の作業のそれぞれの計画作業時期と、実施時期と、評価入力項目とが表示される、評価入力を受け付けるための入力画面（１１０）を表示する。評価入力装置（１００）は、不図示のキーボードやマウスを用いたユーザの操作入力により、複数の作業のそれぞれについて評価入力を受け付ける。
2015173876.tif 000002
【特許請求の範囲】
【請求項１】
コンピュータが、
特定の作物を栽培する特定の圃場について、該特定の圃場において行われるべき複数の作業を該複数の作業のそれぞれが行われるべき計画作業時期と対応づけて登録し、
前記特定の圃場において行われる前記複数の作業のうち少なくとも１以上の作業について、実施時期の入力を受け付け、
登録された前記計画作業時期を参照して、前記複数の作業の計画作業時期の時期順に従って前記複数の作業をリスト表示するとともに、前記複数の作業のそれぞれについて、登録された計画作業時期と、少なくとも１以上の作業について入力された実施時期と、評価入力を受け付ける評価入力項目とを表示する、
処理を実行することを特徴とする作物の栽培に関する評価入力方法。
【請求項２】
前記コンピュータが、
さらに、前記特定の作物についての栽培についての総合評価入力項目も前記複数の作業の個々の評価入力項目の表示と合わせて表示する、
処理を実行することを特徴とする請求項１に記載の作物の栽培に関する評価入力方法。
【請求項３】
前記コンピュータが、
前記評価入力項目に入力された評価入力の内容に応じて、前記特定の作物に関する栽培スケジュールのテンプレートに対応する作業の実施時期を反映させるか否かの選択肢を提示する、
処理を実行することを特徴とする請求項１に記載の作物の栽培に関する評価入力方法。
【請求項４】
前記コンピュータが、
さらに、前記複数の作業のそれぞれが行われるべき計画作業時期を、前記特定の作物の生育期間と、指定された前記特定の作物の販売目標時期とに基づいて特定する、
処理を実行することを特徴とする請求項１に記載の作物の栽培に関する評価入力方法。
【請求項５】
前記提示する処理は、前記評価入力項目に入力された評価入力の内容に応じて、前記特定の圃場における前記特定の作物に関する栽培スケジュールのテンプレートに対応する作業の実施時期を反映させるか否かの選択肢を提示することを特徴とする請求項３に記載の作物の栽培に関する評価入力方法。
【請求項６】
前記コンピュータが、
反映させると選択されたことに応じて、入力された前記複数の作業のそれぞれの実施時期を、前記複数の作業のそれぞれの計画作業時期として含むテンプレートを作成する、
処理を実行することを特徴とする請求項３に記載の作物の栽培に関する評価入力方法。
【請求項７】
コンピュータに、
特定の作物を栽培する特定の圃場について、該特定の圃場において行われるべき複数の作業を該複数の作業のそれぞれが行われるべき計画作業時期と対応づけて登録し、
前記特定の圃場において行われる前記複数の作業のうち少なくとも１以上の作業について、実施時期の入力を受け付け、
登録された前記計画作業時期を参照して、前記複数の作業の計画作業時期の時期順に従って前記複数の作業をリスト表示するとともに、前記複数の作業のそれぞれについて、登録された計画作業時期と、少なくとも１以上の作業について入力された実施時期と、評価入力を受け付ける評価入力項目とを表示する、
処理を実行させることを特徴とする作物の栽培に関する評価入力プログラム。
【請求項８】
特定の作物を栽培する特定の圃場について、該特定の圃場において行われるべき複数の作業を該複数の作業のそれぞれが行われるべき計画作業時期と対応づけて登録し、前記特定の圃場において行われる前記複数の作業のうち少なくとも１以上の作業について、実施時期の入力を受け付け、登録された前記計画作業時期を参照して、前記複数の作業の計画作業時期の時期順に従って前記複数の作業をリスト表示するとともに、前記複数の作業のそれぞれについて、登録された計画作業時期と、少なくとも１以上の作業について入力された実施時期と、評価入力を受け付ける評価入力項目とを表示する制御部、
を有することを特徴とする作物の栽培に関する評価入力装置。
【発明の詳細な説明】
【技術分野】
【０００１】
本発明は、作物の栽培に関する評価入力方法、作物の栽培に関する評価入力プログラム、および作物の栽培に関する評価入力装置に関する。
【背景技術】
【０００２】
従来、作物の栽培スケジュールに従って圃場に対して幾つかの作業を行うことにより収穫された作物の量などに基づいて作物の栽培についての評価を行う場合がある。関連する技術としては、例えば、栽培の作業内容を履歴として管理する手段、作業内容が栽培基準を満たしているかを判定する手段、基準計画を立てる際の支援を行う手段、および、生産履歴等を管理する手段などを備えるものがある。また、例えば、農作業日誌データ、農業経費データ、および、農業売上データなどの農業経営データをデータベース化した農業経営データベースを参照し、農作物別に作業労力を算出したり経費を算出したり売上を算出する各種シミュレーションを行う技術がある。
【先行技術文献】
【特許文献】
【０００３】
【特許文献１】特開２００６−０１１５６２号公報
【特許文献２】特開２０１０−２５７３５３号公報
【発明の概要】
【発明が解決しようとする課題】
【０００４】
しかしながら、上述した従来技術では、圃場における作物の栽培のために複数の作業が行われた場合に、どの作業がどのくらい上手くいったのかを把握することが難しく、どの作業の内容を見直すべきかを検討することができない。【０００５】
１つの側面では、本発明は、圃場において行われる複数の作業のそれぞれについて評価入力を行うことができる作物の栽培に関する評価入力方法、作物の栽培に関する評価入力プログラム、および作物の栽培に関する評価入力装置を提供することを目的とする。
【課題を解決するための手段】
【０００６】
本発明の一側面によれば、特定の作物を栽培する特定の圃場について、該特定の圃場において行われるべき複数の作業を該複数の作業のそれぞれが行われるべき計画作業時期と対応づけて登録し、前記特定の圃場において行われる前記複数の作業のうち少なくとも１以上の作業について、実施時期の入力を受け付け、登録された前記計画作業時期を参照して、前記複数の作業の計画作業時期の時期順に従って前記複数の作業をリスト表示するとともに、前記複数の作業のそれぞれについて、登録された計画作業時期と、少なくとも１以上の作業について入力された実施時期と、評価入力を受け付ける評価入力項目とを表示する作物の栽培に関する評価入力方法、作物の栽培に関する評価入力プログラム、および作物の栽培に関する評価入力装置が提案される。
【発明の効果】
【０００７】
本発明の一態様によれば、圃場において行われる複数の作業のそれぞれについて評価入力を行うことができるという効果を奏する。
【図面の簡単な説明】
【０００８】
【図１】図１は、評価入力方法の一実施例を示す説明図である。
【図２】図２は、農業支援システム２００のシステム構成例を示す説明図である。
【図３】図３は、評価入力装置１００のハードウェア構成例を示すブロック図である。
【図４】図４は、クライアント装置２０１のハードウェア構成例を示すブロック図である。
【図５】図５は、生産計画ＤＢ２２０の記憶内容の一例を示す説明図である。
【図６】図６は、テンプレートＤＢ２３０の記憶内容の一例を示す説明図である。
【図７】図７は、評価入力装置１００の機能的構成例を示すブロック図である。
【図８】図８は、生産計画登録画面８００の画面例を示す説明図である。
【図９】図９は、評価入力画面９００の画面例を示す説明図である。
【図１０】図１０は、評価入力画面１０００の画面例を示す説明図である。
【図１１】図１１は、評価確認画面１１００の画面例を示す説明図である。
【図１２】図１２は、制御処理手順の一例を示すフローチャートである。
【図１３】図１３は、計画登録処理手順の一例を示すフローチャートである。
【図１４】図１４は、評価入力処理手順の一例を示すフローチャートである。
【図１５】図１５は、評価確認処理手順の一例を示すフローチャートである。
【発明を実施するための形態】
【０００９】
以下に添付図面を参照して、本発明にかかる作物の栽培に関する評価入力方法、作物の栽培に関する評価入力プログラム、および作物の栽培に関する評価入力装置の実施の形態を詳細に説明する。
【００１０】
（作物の栽培に関する評価入力方法の一実施例）
まず、図１を用いて、実施の形態にかかる作物の栽培に関する評価入力方法の一実施例について説明する。
【００１１】
図１は、評価入力方法の一実施例を示す説明図である。評価入力装置１００は、本発明にかかる評価入力プログラムを実行し、作物の栽培スケジュールに従って作物を栽培する圃場において行われた作業について評価入力を受け付けるコンピュータである。
【００１２】
栽培スケジュールとは、作物に関する作業の予定である。作物とは、農業活動によって生産されるものである。作物とは、大分類として、例えば、穀類、野菜、果物、花卉などがある。圃場とは、作物を栽培、生育するための田畑、菜園などである。作業とは、農業生産のための作業である。作業とは、例えば、耕耘、播種、定植、見回り、肥料散布、農薬散布、追肥、灌水などである。
【００１３】
ここで、圃場において複数の作業が行われた後に、それぞれの作業の内容を検討し、栽培スケジュールの改良を図るためには、どの作業がどのくらい上手くいったのかを把握し、どの作業の内容を検討すべきかを把握することが望まれる。上手くいったとは、例えば、作業にかかった日数が例年より短かったり、作物の収穫量が例年より多かったり、不良だった作物が少なかったりすることである。
【００１４】
また、天候の悪化などにより複数の作業のいずれかが本来行う予定の時期とは異なる時期に行われた場合、栽培スケジュールの改良を図るためには、予定の時期と実際の実施時期とがずれた結果、作業がどのくらい上手くいったのかを把握することが望まれる。また、作物の生育状況などを考慮して複数の作業のいずれかが本来行う予定の時期とは異なる時期に行われた場合、栽培スケジュールの改良を図るためには、予定の時期と実際の実施時期とがずれた結果、作業がどのくらい上手くいったのかを把握することが望まれる。しかしながら、農業生産された作物の収穫量などの農業生産の最終結果を参照するだけでは、それぞれの作業の内容を検討し、栽培スケジュールの改良を図ることは難しい。
【００１５】
そこで、本実施の形態では、圃場において行われた複数の作業のそれぞれについて、実施時期の入力を受け付けるとともに、評価入力を受け付ける評価入力方法について説明する。以下、評価入力装置１００の作物の栽培に関する評価入力処理例について説明する。ここでは、評価入力装置１００を、農業経営者や作業者が使用するＰＣ（パーソナル・コンピュータ）、タブレット型ＰＣ、スマートフォンなどに適用した場合を例に挙げて説明する。
【００１６】
（１）評価入力装置１００は、計画作業時期を参照して、複数の作業の計画作業時期の時期順に従って、複数の作業をリスト表示するとともに、複数の作業のそれぞれについて、計画作業時期と、実施時期の入力項目と、評価入力項目とを表示する。評価入力装置１００は、例えば、図１に示すような、複数の作業のそれぞれについて、作業の種別と、計画作業時期と、実施時期の入力項目と、評価入力項目とが含まれ、実施時期の入力と評価入力とを受け付けるための入力画面１１０を表示する。
【００１７】
（２）評価入力装置１００は、不図示のキーボードやマウスを用いたユーザの操作入力により、複数の作業のそれぞれについて実施時期の入力を受け付ける。評価入力装置１００は、例えば、実施時期を入力可能なボックス形式の実施時期の入力項目１１１〜１１４において、不図示のキーボードやマウスを用いたユーザの操作入力により入力された実施時期を受け付ける。実施時期は、例えば、作業が行われた日付である。
【００１８】
（３）評価入力装置１００は、不図示のキーボードやマウスを用いたユーザの操作入力により、複数の作業のそれぞれについて評価入力を受け付ける。評価入力装置１００は、例えば、評価をあらわす「◎、○、×、？」のうちのいずれかを選択可能なプルダウンメニュー形式の評価入力項目１１５〜１１８において、不図示のキーボードやマウスを用いたユーザの操作入力により選択された評価を受け付ける。◎は、作業が模範的成功であることをあらわすマークである。○は、作業が成功であることをあらわすマークである。×は、作業が失敗であることをあらわすマークである。？は、作業が評価不可能であることをあらわすマークである。
【００１９】
このように、実施の形態にかかる評価入力装置１００によれば、圃場において複数の作業が行われた場合に、複数の作業のそれぞれについて実施時期の入力を受け付けることができる。また、評価入力装置１００によれば、複数の作業のそれぞれについて、計画作業時期と実施時期とを表示しつつ、評価入力を受け付けることができる。これにより、評価入力装置１００は、作業者が複数の作業のそれぞれを評価しやすくすることができる。また、評価入力装置１００は、作業者などによる複数の作業のそれぞれの実施時期と評価とを記憶することができる。
【００２０】
その後、評価入力装置１００は、作業者などが複数の作業のそれぞれの内容を検討する場合に、複数の作業のそれぞれの実施時期と評価とを提供して、作業の内容の検討を支援することができる。作業者は、例えば、複数の作業のそれぞれが、どのような時期に行われ、どのくらい上手くいったのかを把握することができ、作業の内容を検討することができる。作業者は、具体的には、天候の悪化により今回の作業の実施時期が計画作業時期とずれたが作業が上手くいった場合、次回の当該作業の計画作業時期として、今回の作業の実施時期を流用することができる。また、作業者は、具体的には、今回の作業の実施時期が計画作業時期と同じであるが作業が上手くいかなかった場合、次回の当該作業の計画作業時期として、今回の作業の実施時期とは異なる時期を検討することができる。
【００２１】
（農業支援システム２００のシステム構成例）
つぎに、図１に示した評価入力装置１００を農業支援システム２００に適用した場合について説明する。
【００２２】
図２は、農業支援システム２００のシステム構成例を示す説明図である。図２において、農業支援システム２００は、評価入力装置１００と、クライアント装置２０１−１〜２０１−ｎと、を含む構成である（ｎは、２以上の自然数）。農業支援システム２００において、評価入力装置１００とクライアント装置２０１−１〜２０１−ｎは、有線または無線のネットワーク２１０を介して接続される。ネットワーク２１０は、例えば、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、インターネットなどである。
【００２３】
ここで、評価入力装置１００は、生産計画ＤＢ（データベース）２２０、およびテンプレートＤＢ２３０を有し、クライアント装置２０１−１〜２０１−ｎの表示制御を行う。評価入力装置１００は、例えば、サーバである。各種ＤＢ等２２０，２３０の記憶内容については、図５および図６を用いて後述する。
【００２４】
クライアント装置２０１−１〜２０１−ｎは、ディスプレイ（例えば、後述する図４に示すディスプレイ４０６）を有し、評価入力装置１００の表示制御に従って、各種画面を表示可能なコンピュータである。クライアント装置２０１−１〜２０１−ｎは、例えば、農業経営者や作業者が使用するＰＣ、ノートＰＣ、タブレット型ＰＣ、スマートフォンなどである。
【００２５】
具体的には、例えば、評価入力装置１００は、クライアント装置２０１−１〜２０１−ｎから各種画面の表示要求を受信すると、各種画面の画面情報を生成してクライアント装置２０１−１〜２０１−ｎに送信する。この結果、クライアント装置２０１−１〜２０１−ｎのディスプレイに各種画面が表示される。
【００２６】
以下の説明では、クライアント装置２０１−１〜２０１−ｎを単に「クライアント装置２０１」と表記する場合がある。
【００２７】
（評価入力装置１００のハードウェア構成例）
図３は、評価入力装置１００のハードウェア構成例を示すブロック図である。図３において、評価入力装置１００は、ＣＰＵ（Ｃｅｎｔｒａｌ  Ｐｒｏｃｅｓｓｉｎｇ  Ｕｎｉｔ）３０１と、メモリ３０２と、Ｉ／Ｆ（Ｉｎｔｅｒｆａｃｅ）３０３と、ディスクドライブ３０４と、ディスク３０５と、を有する。また、各構成部は、バス３００によってそれぞれ接続される。
【００２８】
ここで、ＣＰＵ３０１は、評価入力装置１００の全体の制御を司る。メモリ３０２は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）およびフラッシュＲＯＭなどを有する。具体的には、例えば、フラッシュＲＯＭやＲＯＭが各種プログラムを記憶し、ＲＡＭがＣＰＵ３０１のワークエリアとして使用される。メモリ３０２に記憶されるプログラムは、ＣＰＵ３０１にロードされることで、コーディングされている処理をＣＰＵ３０１に実行させる。
【００２９】
Ｉ／Ｆ３０３は、通信回線を通じてネットワーク２１０に接続され、ネットワーク２１０を介して他のコンピュータ（例えば、図２に示したクライアント装置２０１）に接続される。そして、Ｉ／Ｆ３０３は、ネットワーク２１０と内部のインターフェースを司り、他のコンピュータからのデータの入出力を制御する。Ｉ／Ｆ３０３には、例えば、モデムやＬＡＮアダプタなどを採用することができる。
【００３０】
ディスクドライブ３０４は、ＣＰＵ３０１の制御に従ってディスク３０５に対するデータのリード／ライトを制御する。ディスク３０５は、ディスクドライブ３０４の制御で書き込まれたデータを記憶する。ディスク３０５としては、例えば、磁気ディスク、光ディスクなどが挙げられる。
【００３１】
評価入力装置１００は、上述した構成部のほか、例えば、ＳＳＤ（Ｓｏｌｉｄ  Ｓｔａｔｅ  Ｄｒｉｖｅ）、キーボード、マウス、ディスプレイなどを有することにしてもよい。
【００３２】
（クライアント装置２０１のハードウェア構成例）
図４は、クライアント装置２０１のハードウェア構成例を示すブロック図である。図４において、クライアント装置２０１は、ＣＰＵ４０１と、メモリ４０２と、ディスクドライブ４０３と、ディスク４０４と、Ｉ／Ｆ４０５と、ディスプレイ４０６と、入力装置４０７と、を有する。また、各構成部はバス４００によってそれぞれ接続される。
【００３３】
ここで、ＣＰＵ４０１は、クライアント装置２０１の全体の制御を司る。メモリ４０２は、例えば、ＲＯＭ、ＲＡＭおよびフラッシュＲＯＭなどを有する。具体的には、例えば、フラッシュＲＯＭやＲＯＭが各種プログラムを記憶し、ＲＡＭがＣＰＵ４０１のワークエリアとして使用される。メモリ４０２に記憶されるプログラムは、ＣＰＵ４０１にロードされることで、コーディングされている処理をＣＰＵ４０１に実行させる。
【００３４】
ディスクドライブ４０３は、ＣＰＵ４０１の制御に従ってディスク４０４に対するデータのリード／ライトを制御する。ディスク４０４は、ディスクドライブ４０３の制御で書き込まれたデータを記憶する。ディスク４０４としては、例えば、磁気ディスク、光ディスクなどが挙げられる。
【００３５】
Ｉ／Ｆ４０５は、通信回線を通じてネットワーク２１０に接続され、ネットワーク２１０を介して他のコンピュータ（例えば、図２に示した評価入力装置１００）に接続される。そして、Ｉ／Ｆ４０５は、ネットワーク２１０と内部のインターフェースを司り、他のコンピュータからのデータの入出力を制御する。
【００３６】
ディスプレイ４０６は、カーソル、アイコンあるいはツールボックスをはじめ、文書、画像、機能情報などのデータを表示する。ディスプレイ４０６は、例えば、ＣＲＴ（Ｃａｔｈｏｄｅ  Ｒａｙ  Ｔｕｂｅ）、液晶ディスプレイ、有機ＥＬ（Ｅｌｅｃｔｒｏｌｕｍｉｎｅｓｃｅｎｃｅ）ディスプレイなどを採用することができる。
【００３７】
入力装置４０７は、文字、数字、各種指示などの入力のためのキーを有し、データの入力を行う。入力装置４０７は、キーボードやマウスなどであってもよく、また、タッチパネル式の入力パッドやテンキーなどであってもよい。
【００３８】
クライアント装置２０１は、上述した構成部のうち、例えば、ディスクドライブ４０３、ディスク４０４などを有さないことにしてもよい。また、クライアント装置２０１は、上述した構成部のほか、例えば、ＳＳＤ、スキャナ、プリンタなどを有することにしてもよい。
【００３９】
（各種ＤＢ２２０，２３０の記憶内容）
つぎに、図５および図６を用いて各種ＤＢ２２０，２３０の記憶内容について説明する。各種ＤＢ２２０，２３０は、例えば、図３に示した評価入力装置１００のメモリ３０２、ディスク３０５により実現される。
【００４０】
＜生産計画ＤＢ２２０の記憶内容＞
図５は、生産計画ＤＢ２２０の記憶内容の一例を示す説明図である。図５において、生産計画ＤＢ２２０は、計画ＩＤ、圃場グループ名、圃場名、分筆名、品目、品種、作型、反収、収穫量、作付面積、作業種別、計画作業時期、実施時期、評価、総合評価、およびコメントのフィールドを有する。
【００４１】
各フィールドに情報を設定することで、生産計画情報（例えば、生産計画情報５００−１〜５００−３）がレコードとして記憶される。ここで、生産計画とは、生産対象となる作物を、どの圃場に、どのような栽培スケジュールで、どのくらい作付けし、どのくらい収穫するのかの計画である。圃場における作物の栽培は、生産計画に沿って行われる。
【００４２】
計画ＩＤは、生産計画を識別する識別子である。計画ＩＤは、例えば、生産計画が立てられた順に割り振られる。また、計画ＩＤは、例えば、新たな生産計画が立てられるたびに、圃場における最初の作業予定日が早い順に振り直されることにしてもよい。また、同一圃場について複数の生産計画が立てられた場合は、計画ＩＤとして枝番が用いられる。枝番には、最初の作業予定日が早い順に若い番号が割り振られる。
【００４３】
圃場グループ名は、例えば、圃場が属する圃場グループの名称である。圃場名は、圃場の名称である。分筆名は、１つの圃場を区切って分割した区画の名称である分筆名称である。品目は、作物の種類である。品目としては、例えば、トマト、きゅうり、水稲、キャベツなどがある。品種は、同一品目の中の種類である。例えば、キャベツの品種として、夏蒔きの品種であれば「彩風」「グリーンボール」、春蒔きの品種であれば「中早生２号」「中早生３号」「秋早生」「新風」などがある。例えば、トマトの品種として、「湘南ポモロン」「桃太郎」などがある。
【００４４】
作型は、作物の栽培を行うときの条件や技術の組み合わせを示す体系である。作型としては、例えば、ハウス栽培、露地栽培、夏蒔き栽培などがある。反収は、１反当たりの収穫高である。１反とは、約１０ａである。収穫量は、圃場において収穫される作物の量である。作付面積は、作物を作付けする面積である。
【００４５】
作業種別は、農業生産のための作業を作業内容で区分けしたものである。作業種別としては、例えば、播種、定植、追肥、および収穫などがある。計画作業時期は、農業生産における複数の作業のうちのいずれかの作業が行われる予定の時期である。実施時期は、農業生産における複数の作業のうちのいずれかの作業が行われた実際の時期である。実施時期としては、例えば、作業が行われた実際の日付がある。また、実施時期として、作業の開始時期から終了時期までの期間が設定されてもよい。
【００４６】
評価は、農業生産における複数の作業のいずれかの作業の内容や結果について価値付けたものである。評価としては、例えば、評価を表す「◎、○、×、？」のアイコンのうちのいずれかが設定される。評価としては、例えば、評価がよいほど数値が大きくなる評価値が設定されてもよい。総合評価は、農業生産の最終結果について価値付けたものである。総合評価としては、例えば、作業についての評価と同様に、アイコンが設定されてもよいし、評価値が設定されてもよい。コメントは、農業生産の最終結果の説明、感想、備考、注意点、または総合評価の理由などを示す文章である。
【００４７】
＜テンプレートＤＢ２３０の記憶内容＞
図６は、テンプレートＤＢ２３０の記憶内容の一例を示す説明図である。図６において、テンプレートＤＢ２３０は、テンプレートＩＤ、圃場グループ名、圃場名、分筆名、品目、品種、作型、作業種別、および計画作業時期のフィールドを有する。テンプレートＤＢ２３０は、各フィールドに情報を設定することで、計画作業時期のテンプレート（例えば、テンプレート６００−１〜６００−３）をレコードとして記憶する。
【００４８】
テンプレートは、特定の作物についての生産計画の雛形である。テンプレートは、特定の圃場における特定の作物についての生産計画の雛形であってもよい。テンプレートＩＤは、テンプレートを識別する識別子である。テンプレートＩＤは、例えば、テンプレートが作成された順に割り振られる。
【００４９】
圃場グループ名は、例えば、テンプレートを適用可能な圃場グループの名称である。圃場名は、テンプレートを適用可能な圃場の名称である。分筆名は、テンプレートを適用可能な分筆の名称である。例えば、テンプレートが、いずれの圃場にも適用可能な場合には、圃場グループ名、圃場名、および分筆名は設定されなくてよい。また、テンプレートが、特定の圃場グループに属するいずれの圃場にも適用可能な場合には、圃場名、および分筆名は設定されなくてよい。また、テンプレートが、特定の圃場のいずれの分筆にも適用可能な場合には、分筆名は設定されなくてよい。
【００５０】
品目は、作物の種類である。品種は、同一品目の中の種類である。作型は、作物の栽培を行うときの条件や技術の組み合わせを示す体系である。例えば、テンプレートが、特定の品種や作型に限らず特定の作物であれば適用可能な場合には、品種、および作型は設定されなくてよい。また、テンプレートが、特定の作型に限らず特定の品種であれば適用可能な場合には、作型は設定されなくてよい。作業種別は、農業生産のための作業を作業の内容で区分けしたものである。計画作業時期は、農業生産における複数の作業のうちのいずれかの作業が行われる予定の時期として設定可能な雛形である。
【００５１】
また、テンプレートＤＢ２３０は、地域、および季節などのフィールドを有してもよい。地域は、テンプレートを適用可能な地域の名称である。地域としては、例えば、東北、関東、九州などの地方の名称、都道府県や市区町村の名称などがある。季節は、テンプレートを適用可能な季節の名称である。季節としては、例えば、春夏秋冬や１２ヶ月のうちのいずれかの月の名称などがある。
【００５２】
（評価入力装置１００の機能的構成例）
つぎに、図７を用いて、評価入力装置１００の機能的構成例について説明する。
【００５３】
図７は、評価入力装置１００の機能的構成例を示すブロック図である。評価入力装置１００は、制御部となる機能として、表示制御部７０１と、受付部７０２と、登録部７０３とを含む。
【００５４】
表示制御部７０１と、受付部７０２と、登録部７０３とは、例えば、図３に示したメモリ３０２に記憶されたプログラムをＣＰＵ３０１に実行させることにより、または、Ｉ／Ｆ３０３により、その機能を実現する。各機能部の処理結果は、例えば、メモリ３０２、ディスク３０５などの記憶装置に記憶される。
【００５５】
＜計画作業時期を登録する動作（その１）＞
評価入力装置１００が、特定の作物を栽培する特定の圃場について、該特定の圃場において行われるべき複数の作業を該複数の作業のそれぞれが行われるべき計画作業時期と対応づけて登録する動作について説明する。圃場とは、作物を栽培、生育するための田畑、菜園などである。特定の圃場とは、生産計画が立てられた圃場である。特定の圃場とは、クライアント装置２０１のユーザにより任意に選択される圃場である。
【００５６】
作物とは、農業活動によって生産されるものである。作物とは、大分類として、例えば、穀類、野菜、果物、花卉などがある。特定の作物とは、特定の圃場に作付けされることが計画された生産対象となる作物である。作業とは、農業生産のための作業である。作業とは、例えば、耕耘、播種、定植、見回り、肥料散布、農薬散布、追肥、灌水などである。播種とは、種蒔きである。定植とは、植え替えである。計画作業時期とは、作業が行われるべき時期として設定された時期である。
【００５７】
表示制御部７０１は、例えば、生産計画ＤＢ２２０から、特定の作物を栽培する特定の圃場についての生産計画情報５００−１を抽出する。つぎに、表示制御部７０１は、生産計画情報５００−１の内容が表示され、複数の作業のそれぞれの種別と、複数の作業のそれぞれの計画作業時期との入力を受け付ける入力項目が表示された、図８に後述するような生産計画登録画面８００の画面情報を作成する。
【００５８】
そして、表示制御部７０１は、生産計画登録画面８００の画面情報をクライアント装置２０１に送信する。クライアント装置２０１は、生産計画登録画面８００の画面情報を受信すると、生産計画登録画面８００を表示する。クライアント装置２０１は、不図示のキーボードやマウスを用いたユーザの操作入力により、複数の作業の種別と、複数の作業のそれぞれの計画作業時期との入力を受け付け、評価入力装置１００に送信する。
【００５９】
受付部７０２は、複数の作業の種別と、複数の作業のそれぞれが行われるべき計画作業時期とを、クライアント装置２０１から受信する。登録部７０３は、受信された、複数の作業の種別を、複数の作業のそれぞれが行われるべき計画作業時期と対応づけて、生産計画ＤＢ２２０の生産計画情報５００−１に登録する。
【００６０】
これにより、評価入力装置１００は、複数の作業のそれぞれの計画作業時期を記憶しておくことができ、クライアント装置２０１に表示させることができる。このため、評価入力装置１００は、作業者に計画作業時期を把握させ、農業生産を支援することができる。
【００６１】
＜計画作業時期を登録する動作の他の例（その２）＞
評価入力装置１００が、複数の作業のそれぞれが行われるべき計画作業時期を、テンプレートに基づいて特定して、複数の作業を、複数の作業のそれぞれの計画作業時期と対応づけて登録してもよい。
【００６２】
受付部７０２は、例えば、生産計画登録画面８００の画面情報をクライアント装置２０１に送信した後、テンプレートを通知する要求をクライアント装置２０１から受信する。表示制御部７０１は、受付部７０２によって要求が受信されると、テンプレートＤＢ２３０から、特定の作物を栽培する特定の圃場についてのテンプレート６００−１を抽出する。表示制御部７０１は、テンプレート６００−１をクライアント装置２０１に送信する。
【００６３】
クライアント装置２０１は、テンプレート６００−１を受信すると、生産計画登録画面８００の入力項目に、テンプレート６００−１に含まれる複数の作業のそれぞれの種別と、計画作業時期とを自動入力する。クライアント装置２０１は、不図示のキーボードやマウスを用いたユーザの操作入力により、複数の作業のそれぞれの種別と、複数の作業のそれぞれの計画作業時期との修正を受け付け、評価入力装置１００に送信する。
【００６４】
受付部７０２は、複数の作業のそれぞれの種別と、複数の作業のそれぞれが行われるべき計画作業時期とを、クライアント装置２０１から受信する。登録部７０３は、複数の作業のそれぞれの種別を、複数の作業のそれぞれが行われるべき計画作業時期と対応づけて、生産計画ＤＢ２２０の生産計画情報５００−１に登録する。
【００６５】
これにより、評価入力装置１００は、複数の作業のそれぞれの計画作業時期の登録を効率化することができる。作業者は、計画作業時期を手動で入力しなくてもよいため、作業負担を低減することができる。
【００６６】
＜計画作業時期を登録する動作の他の例（その３）＞
評価入力装置１００が、複数の作業のそれぞれが行われるべき計画作業時期を、特定の作物の生育期間と、指定された特定の作物の販売目標時期とに基づいて特定して、複数の作業を、複数の作業のそれぞれの計画作業時期と対応づけて登録してもよい。生育期間とは、特定の作物が収穫可能になるまでに各作業にかかる期間である。販売目標時期とは、農業生産された作物の収穫を開始して販売を開始する時期である。
【００６７】
受付部７０２は、例えば、生産計画登録画面８００の画面情報をクライアント装置２０１に送信した後、特定の作物の販売目標時期とともに、複数の作業のそれぞれの計画作業時期を特定する要求を、クライアント装置２０１から受信する。表示制御部７０１は、受付部７０２によって要求が受信されると、テンプレートＤＢ２３０から、特定の作物を栽培する特定の圃場についてのテンプレート６００−１を抽出する。表示制御部７０１は、テンプレート６００−１から、複数の作業のそれぞれの計画作業時期を抽出し、複数の作業のそれぞれにおける特定の作物の生育期間を算出する。表示制御部７０１は、販売目標時期に特定の作物を収穫して販売することが可能になるように、販売目標時期から生育期間の分を遡った、新たな計画作業時期を特定し、クライアント装置２０１に送信する。
【００６８】
具体的には、販売目標時期「２０１３／０９／０１」である場合を例に挙げて、説明する。また、播種の計画作業時期「２０１３／０４／０１〜２０１３／０４／０９」、定植の計画作業時期「２０１３／０４／１０〜２０１３／０４／３０」、追肥の計画作業時期「２０１３／０８／０１〜２０１３／０８／０７」、収穫の計画作業時期「２０１３／０８／２５〜２０１３／０９／０２」とする。
【００６９】
この場合、表示制御部７０１は、播種についての作業期間として、期間「８日」を算出する。表示制御部７０１は、播種についての生育期間として、播種の計画作業時期の始まり「２０１３／０４／０１」から定植の計画作業時期の始まり「２０１３／０４／１０」までの期間「９日」を算出する。表示制御部７０１は、定植についての作業期間として、期間「２０日」を算出する。表示制御部７０１は、定植についての生育期間として、定植の計画作業時期の始まり「２０１３／０４／１０」から追肥の計画作業時期の始まり「２０１３／０８／０１」までの期間「１１３日」を算出する。表示制御部７０１は、追肥についての作業期間として、期間「６日」を算出する。表示制御部７０１は、追肥についての生育期間として、追肥の計画作業時期の始まり「２０１３／０８／０１」から収穫の計画作業時期の始まり「２０１３／０８／２５」までの期間「２４日」を算出する。
【００７０】
表示制御部７０１は、販売目標時期「２０１３／０９／０１」から、算出した追肥の生育期間「２４日」の分を遡って、新たな追肥の計画作業時期の始まり「２０１３／０８／０８」を特定する。表示制御部７０１は、特定した始まりの日付と、作業期間「６日」とに基づいて、新たな追肥の計画作業時期「２０１３／０８／０８〜２０１３／０８／１４」を特定する。
【００７１】
表示制御部７０１は、追肥の計画作業時期の始まり「２０１３／０８／０８」から、算出した定植の生育期間「１１３日」の分を遡って、新たな定植の計画作業時期の始まり「２０１３／０４／１７」を特定する。表示制御部７０１は、特定した始まりの日付と、作業期間「２０日」とに基づいて、新たな定植の計画作業時期「２０１３／０４／１７〜２０１３／０５／０７」を特定する。
【００７２】
表示制御部７０１は、定植の計画作業時期の始まり「２０１３／０４／１７」から、算出した播種の生育期間「９日」を遡って、新たな播種の計画作業時期の始まり「２０１３／０４／０８」を特定する。表示制御部７０１は、特定した始まりの日付と、作業期間「８日」とに基づいて、新たな播種の計画作業時期「２０１３／０４／０８〜２０１３／０４／１６」を特定する。
【００７３】
また、表示制御部７０１は、販売目標時期に特定の作物の収穫を終了して販売を開始することが可能になるように、販売目標時期から生育期間の分と収穫期間の分とを遡った、新たな計画作業時期を特定し、クライアント装置２０１に送信してもよい。この場合、表示制御部７０１は、播種や定植の計画作業時期を特定したのと同様に、収穫の計画作業時期を特定することになる。
【００７４】
クライアント装置２０１は、新たな計画作業時期を受信すると、生産計画登録画面８００の入力項目に、複数の作業のそれぞれの種別と、新たな計画作業時期とを自動入力する。クライアント装置２０１は、不図示のキーボードやマウスを用いたユーザの操作入力により、複数の作業のそれぞれの種別と、複数の作業のそれぞれの計画作業時期との修正を受け付け、評価入力装置１００に送信する。
【００７５】
受付部７０２は、複数の作業のそれぞれの種別と、複数の作業のそれぞれが行われるべき計画作業時期とを、クライアント装置２０１から受信する。登録部７０３は、複数の作業のそれぞれの種別を、複数の作業のそれぞれが行われるべき計画作業時期と対応づけて、生産計画ＤＢ２２０の生産計画情報５００−１に登録する。
【００７６】
これにより、評価入力装置１００は、複数の作業のそれぞれの計画作業時期の登録を効率化することができる。作業者は、計画作業時期を手動で入力しなくてもよいため、作業負担を低減することができる。
【００７７】
＜実施時期を登録する動作＞
評価入力装置１００が、特定の圃場において行われる複数の作業のそれぞれについて、実施時期の入力を受け付け、複数の作業のそれぞれに対応づけて実施時期を登録する動作について説明する。実施時期とは、作業が行われた日付である。実施時期とは、作業が行われた期間であってもよい。
【００７８】
表示制御部７０１は、例えば、生産計画情報５００−１の内容が表示され、複数の作業のそれぞれの実施時期の入力を受け付ける入力項目が表示された、図９に示すような評価入力画面９００の画面情報を、クライアント装置２０１に送信する。クライアント装置２０１は、評価入力画面９００の画面情報を受信すると、評価入力画面９００を表示し、不図示のキーボードやマウスを用いたユーザの操作入力により、複数の作業のそれぞれの実施時期の入力を受け付け、評価入力装置１００に送信する。受付部７０２は、複数の作業のそれぞれの実施時期を、クライアント装置２０１から受信する。登録部７０３は、複数の作業の実施時期を、生産計画ＤＢ２２０の生産計画情報５００−１に登録する。
【００７９】
これにより、評価入力装置１００は、複数の作業のそれぞれについて、実施時期の入力を受け付けることができ、複数の作業のそれぞれの実施時期を記憶しておくことができる。そして、評価入力装置１００は、作業者などが複数の作業のそれぞれの評価を入力する際に、複数の作業のそれぞれの計画作業時期と実施時期とを提供して、作業者が複数の作業のそれぞれを評価しやすくすることができる。また、評価入力装置１００は、作業者などが複数の作業のそれぞれの内容を検討して、栽培スケジュールの改良を図る際に、複数の作業のそれぞれの実施時期を提供して、栽培スケジュールの改良を支援することができる。作業者は、具体的には、複数の作業のそれぞれが、どのくらいの時期に行われたかを把握して、栽培スケジュールに反映することができる。
【００８０】
＜複数の作業のそれぞれの評価を登録する動作＞
評価入力装置１００が、特定の圃場において行われる複数の作業のそれぞれについて、評価の入力を受け付け、複数の作業のそれぞれに対応づけて評価を登録する動作について説明する。評価とは、作業の結果について価値付けたものである。
【００８１】
表示制御部７０１は、計画作業時期を参照して、複数の作業の計画作業時期の時期順に従って複数の作業をリスト表示するとともに、複数の作業のそれぞれについて、計画作業時期と、実施時期と、評価入力を受け付ける評価入力項目とを表示する。表示制御部７０１は、例えば、生産計画情報５００−１の内容が表示された、図９に示すような評価入力画面９００の画面情報を、クライアント装置２０１に送信する。
【００８２】
クライアント装置２０１は、評価入力画面９００の画面情報を受信すると、評価入力画面９００を表示する。クライアント装置２０１は、不図示のキーボードやマウスを用いたユーザの操作入力により、複数の作業のそれぞれの評価の入力を受け付け、評価入力装置１００に送信する。受付部７０２は、複数の作業のそれぞれの評価を、クライアント装置２０１から受信する。登録部７０３は、複数の作業のそれぞれの評価を、生産計画ＤＢ２２０の生産計画情報５００−１に登録する。
【００８３】
これにより、評価入力装置１００は、複数の作業のそれぞれについて、評価入力を受け付けることができ、複数の作業のそれぞれの評価を記憶しておくことができる。そして、評価入力装置１００は、作業者などが複数の作業のそれぞれの内容を検討して、栽培スケジュールの改良を図る際に、複数の作業のそれぞれの評価を提供して、栽培スケジュールの改良を支援することができる。作業者は、具体的には、複数の作業のそれぞれがどのくらい上手くいったのかを把握して、栽培スケジュールに反映することができる。
【００８４】
＜総合評価を登録する動作＞
評価入力装置１００が、農業生産の最終結果についての総合評価の入力を受け付け、総合評価を登録する動作について説明する。総合評価とは、農業生産の最終結果について価値付けたものである。
【００８５】
表示制御部７０１は、さらに、特定の作物についての栽培についての総合評価入力項目も、複数の作業の個々の評価入力項目の表示と合わせて表示する。表示制御部７０１は、例えば、生産計画情報５００−１の内容が表示され、農業生産の最終結果についての総合評価を受け付ける入力項目が表示された、図１０に示すような評価入力画面１０００の画面情報を、クライアント装置２０１に送信する。
【００８６】
クライアント装置２０１は、評価入力画面１０００の画面情報を受信すると、評価入力画面１０００を表示する。クライアント装置２０１は、不図示のキーボードやマウスを用いたユーザの操作入力により、農業生産の最終結果についての総合評価の入力を受け付け、評価入力装置１００に送信する。受付部７０２は、農業生産の最終結果についての総合評価を、クライアント装置２０１から受信する。登録部７０３は、農業生産の最終結果についての総合評価を生産計画ＤＢ２２０の生産計画情報５００−１に登録する。
【００８７】
これにより、評価入力装置１００は、農業生産についての総合評価入力を受け付けることができ、総合評価を記憶しておくことができる。そして、評価入力装置１００は、作業者などが複数の作業のそれぞれの内容を検討して、栽培スケジュールの改良を図る際に、総合評価を提供して、栽培スケジュールの改良を支援することができる。
【００８８】
＜テンプレートを更新する動作＞
評価入力装置１００が、栽培スケジュールのテンプレートを更新する動作について説明する。栽培スケジュールのテンプレートとは、農業生産における複数の作業のそれぞれの計画作業時期の雛形である。
【００８９】
表示制御部７０１は、さらに、評価入力項目に入力された評価入力の内容に応じて、特定の作物に関する栽培スケジュールのテンプレートに対応する作業の実施時期を反映させるか否かの選択肢を提示する。表示制御部７０１は、例えば、生産計画情報５００−１の内容が表示され、複数の作業のそれぞれの実施時期をテンプレートに反映させるための取込ボタンが表示された、図１１に示すような評価確認画面１１００の画面情報を、クライアント装置２０１に送信する。
【００９０】
クライアント装置２０１は、評価確認画面１１００の画面情報を受信すると、評価入力画面を表示する。クライアント装置２０１は、不図示のキーボードやマウスを用いたユーザの操作入力により、更新ボタンがクリックされると、複数の作業のそれぞれの種別と、実施時期とを、評価入力装置１００に送信する。受付部７０２は、複数の作業のそれぞれの種別と、実施時期とを、クライアント装置２０１から受信する。登録部７０３は、複数の作業のそれぞれの種別と、実施時期とを対応づけたテンプレートを作成して、テンプレートＤＢ２３０に登録する。
【００９１】
これにより、評価入力装置１００は、既存の栽培スケジュールのテンプレートよりも収穫した作物の品質や量が向上する実施時期があれば、既存の栽培スケジュールのテンプレートに当該実施時期を反映させてテンプレートを修正することができる。作業者は、修正したテンプレートを、次回の栽培スケジュールに使用したり、他の作業者に提供することができ、作物の品質や量の向上を図ることができる。
【００９２】
また、評価入力装置１００は、既存の栽培スケジュールのテンプレートとは収穫した作物の品質や量が変化するテンプレートがあれば、新たにテンプレートを作成して記憶することができる。作業者は、既存のテンプレートと新たなテンプレートとを、生産対象となる作物や圃場の状況にあわせて選択して使用することができる。
【００９３】
（生産計画登録画面８００の画面例）
つぎに、図８を用いて、作業者が使用するクライアント装置２０１のディスプレイ４０６に表示される、生産計画登録画面８００の画面例について説明する。以下の説明においては、操作画面に表示されている項目をユーザが選択する操作としてクリック操作を行うことを例として説明する。
【００９４】
図８は、生産計画登録画面８００の画面例を示す説明図である。図８において、生産計画登録画面８００は、作業者が使用するクライアント装置２０１のディスプレイ４０６に表示され、生産計画を登録する際にメインとなる操作画面である。生産計画登録画面８００は、例えば、図４に示した入力装置４０７を用いたユーザの操作入力により、クライアント装置２０１のディスプレイ４０６に表示される。
【００９５】
生産計画登録画面８００において、図４に示した入力装置４０７を用いたユーザの操作入力により、ボックス８０１〜８０３のそれぞれをクリックすると、圃場グループ名、圃場名、分筆名のそれぞれを入力することができる。また、生産計画登録画面８００において、図４に示した入力装置４０７を用いたユーザの操作入力により、ボックス８０４〜８０６のそれぞれをクリックすると、生産対象となる作物の品目、品種、作型のそれぞれを入力することができる。また、生産計画登録画面８００において、図４に示した入力装置４０７を用いたユーザの操作入力により、ボックス８０７〜８０９のそれぞれをクリックすると、反収、収穫量、作付面積のそれぞれを入力することができる。ここで入力される反収、収穫量、作付面積は、計画値である。
【００９６】
また、生産計画登録画面８００において、図４に示した入力装置４０７を用いたユーザの操作入力により、ボックス８１０〜８１３のそれぞれをクリックすると、農業生産における複数の作業のそれぞれの作業種別を入力することができる。また、生産計画登録画面８００において、図４に示した入力装置４０７を用いたユーザの操作入力により、ボックス８１４〜８１７のそれぞれをクリックすると、農業生産における複数の作業のそれぞれの計画作業時期を入力することができる。
【００９７】
また、生産計画登録画面８００において、図４に示した入力装置４０７を用いたユーザの操作入力により、登録ボタン８１８をクリックすると、入力された各種情報を、生産計画情報として、評価入力装置１００に送信することができる。評価入力装置１００は、各種情報を受信すると、各種情報に基づいて生産計画情報となるレコードを作成して生産計画ＤＢ２２０に登録する。
【００９８】
ここで、複数の作業のそれぞれの作業種別と計画作業時期とをユーザの操作入力によって入力しなくてもよい。例えば、生産計画登録画面８００において、図４に示した入力装置４０７を用いたユーザの操作入力により、テンプレート取込ボタン８１９をクリックすると、入力された生産対象となる作物についてのテンプレートを通知する要求を評価入力装置１００に送信することができる。評価入力装置１００は、要求を受信すると、テンプレートＤＢ２３０のテンプレートのうち、生産対象となる作物についてのテンプレートを、クライアント装置２０１に送信する。
【００９９】
クライアント装置２０１は、テンプレートを受信すると、テンプレートに含まれる作業種別、および計画作業時期を、ボックス８１０〜８１７に自動入力する。なお、生産計画登録画面８００において、図４に示した入力装置４０７を用いたユーザの操作入力により、ボックス８１０〜８１７のそれぞれをクリックすると、自動入力された計画作業時期をさらに修正することができる。
【０１００】
このように、クライアント装置２０１において、ユーザは、生産計画情報となる各情報を入力することができる。また、ユーザは、テンプレートに基づいて、複数の作業のそれぞれの作業種別と計画作業時期とを自動入力することができる。これにより、ユーザは、複数の作業のそれぞれの作業種別と計画作業時期とを入力する作業を効率化することができる。
【０１０１】
ここでは、テンプレートに含まれる計画作業時期をそのまま、複数の作業のそれぞれの計画作業時期として自動入力したが、これに限らない。例えば、クライアント装置２０１から販売目標時期を受信した場合、販売目標時期にあわせて、テンプレートに含まれる計画作業時期を修正して、複数の作業の計画作業時期として自動入力してもよい。図８において生産計画情報が生産計画ＤＢ２２０に登録されたとして、図９に示す評価入力画面９００の説明に移行する。
【０１０２】
（評価入力画面９００の画面例）
つぎに、図９を用いて、作業者が使用するクライアント装置２０１のディスプレイ４０６に表示される、評価入力画面９００の画面例について説明する。以下の説明においては、操作画面に表示されている項目をユーザが選択する操作としてクリック操作を行うことを例として説明する。
【０１０３】
図９は、評価入力画面９００の画面例を示す説明図である。図９において、評価入力画面９００は、作業者が使用するクライアント装置２０１のディスプレイ４０６に表示され、農業生産の複数の作業のそれぞれの実施時期と評価とを登録する際にメインとなる操作画面である。評価入力画面９００は、例えば、図４に示した入力装置４０７を用いたユーザの操作入力により、生産計画情報を指定することにより、クライアント装置２０１のディスプレイ４０６に表示される。
【０１０４】
評価入力画面９００には、生産計画ＤＢ２２０に記憶された、特定の作物についての生産計画情報の内容が表示される。評価入力画面９００には、例えば、圃場グループ名「蒲田グループ」、圃場名「本田圃場Ａ−１」、分筆名「Ａ−１−１」が表示される。また、評価入力画面９００には、品目「トマト」、品種「品種Ａ」、作型「露地栽培」が表示される。また、評価入力画面９００には、反収「１５ｔ／１０ａ」、収穫量「７．５ｔ」、作付面積「５．０ａ」が表示される。ｔは、トンである。ａは、アールである。
【０１０５】
評価入力画面９００には、さらに、生産計画情報に含まれる、複数の作業のそれぞれの作業種別、複数の作業のそれぞれが行われる予定の計画作業時期が表示される。評価入力画面９００には、例えば、作業種別「播種」と、作業種別「播種」の作業の計画作業時期「２０１３／０４／０１〜２０１３／０４／０９」とが表示される。
【０１０６】
また、評価入力画面９００には、作業種別「定植」と、作業種別「定植」の作業の計画作業時期「２０１３／０４／１０〜２０１３／０４／３０」とが表示される。また、評価入力画面９００には、作業種別「追肥」と、作業種別「追肥」の作業の計画作業時期「２０１３／０８／０１〜２０１３／０８／０７」とが表示される。また、評価入力画面９００には、作業種別「収穫」と、作業種別「収穫」の作業の計画作業時期「２０１３／０８／２５〜２０１３／０９／０２」とが表示される。
【０１０７】
ここで、生産計画情報に対応する作業実績情報に、複数の作業のそれぞれの実施時期と評価とが設定されていないため、評価入力画面９００には、複数の作業のそれぞれの実施時期と評価とが表示されていない。このとき、評価入力画面９００において、図４に示した入力装置４０７を用いたユーザの操作入力により、ボックス９０１〜９０４のいずれかがクリックされると、クリックを受け付けたボックスに対する実施時期の入力を受け付ける。
【０１０８】
また、評価入力画面９００において、図４に示した入力装置４０７を用いたユーザの操作入力により、アイコン９０５〜９０８のいずれかがクリックされると、農業生産における複数の作業のうちクリックを受け付けた作業種別についての評価の入力を受け付ける。具体的には、評価入力画面９００において、アイコン９０５〜９０８がクリックされると、評価をあらわす「◎、○、×、？」を選択肢としてプルダウンメニュー形式で提示する。そして、評価をあらわす「◎、○、×、？」のうちのいずれかの選択を受け付けることができる。
【０１０９】
そして、評価入力画面９００において、図４に示した入力装置４０７を用いたユーザの操作入力により、登録ボタン９０９がクリックされると、表示中の評価入力画面９００に対して入力された各種情報を、評価入力装置１００に送信することができる。評価入力装置１００は、評価入力画面９００に入力された各種情報を受信すると、評価入力画面９００に入力された各種情報に基づいて生産計画情報を更新する。ここで、実施時期についてのボックス９０１〜９０４のうちの複数に対して入力を受け付けた後に、登録ボタン９０９の１回のクリックを受け付けても構わない。また、作業評価についてのアイコン９０５〜９０８のうちの複数に対して入力を受け付けた後に、登録ボタン９０９の１回のクリックを受け付けても構わない。また、実施時期についてのボックス９０１〜９０４のうちの１以上に対する入力と、作業評価についてのアイコン９０５〜９０８のうちの１以上に対する入力との両方を受け付けた後に、登録ボタン９０９の１回のクリックを受け付けても構わない。
【０１１０】
このように、クライアント装置２０１において、ユーザは、複数の作業のそれぞれの実施時期と評価とを入力することができる。これにより、評価入力装置１００は、クライアント装置２０１において入力された複数の作業のそれぞれの実施時期と評価とを、生産計画情報に登録することができる。このため、ユーザは、複数の作業のそれぞれの実施時期と評価とを登録しておき、農業生産の複数の作業の内容を後々検討する際に参照することができる。
【０１１１】
図９の例では、説明の簡略化のため、複数の作業のそれぞれの実施時期と評価とを、まとめて入力する場合について説明したが、これに限らない。例えば、ユーザは、複数の作業のうちの一つの作業が終了する都度、当該作業の実施時期と評価とを入力してもよい。また、ユーザにより作業の種別を特定した作業実績がシステムに入力されたことを受け、入力された作業実績に示される種別の作業に対する実施時期を反映させてもよい。
【０１１２】
また、図９の例では、画面上部に、表示対象となる特定の作物についての生産計画情報の内容が表示される例を示しているが、これ以外の情報を表示しても構わない。例えば、表示例中の項目「反収」「収穫量」「作付面積」のうちの１以上について、評価入力装置１００が参照可能な状態で実績値のデータが存在すれば、計画値と併せて実績値を表示することができる。図９において複数の作業のそれぞれの実施時期と評価とが入力され、生産計画情報に登録されたとして、図１０に示す評価入力画面１０００の説明に移行する。
【０１１３】
（評価入力画面１０００の画面例）
つぎに、図１０を用いて、農業経営者が使用するクライアント装置２０１のディスプレイ４０６に表示される、評価入力画面１０００の画面例について説明する。以下の説明においては、操作画面に表示されている項目をユーザが選択する操作としてクリック操作を行うことを例として説明する。
【０１１４】
図１０は、評価入力画面１０００の画面例を示す説明図である。図１０では、図９に示す評価入力画面９００に対して、実施時期や作業評価が入力された後の状態を例示している。図１０の評価入力画面１０００は例えば、図９に示す評価入力画面９００に対して１回以上のデータの登録がなされ、生産計画情報が更新された後に、再び、評価入力画面の表示指示を受け付けた場合の状態である。また図１０の評価入力画面１０００は例えば、図９に示す評価入力画面９００に対して、実施時期９０１〜９０４および作業評価９０５〜９０８が入力され、まだ登録ボタン１００３が押下される前の状態である。
【０１１５】
評価入力画面１０００では、複数の作業のそれぞれが行われた実施時期が表示されている。評価入力画面１０００には、例えば、作業種別「播種」の作業が行われた実施時期「２０１３／０３／３１、２０１３／０４／０３、２０１３／０４／１０」と評価「○」とが表示される。
【０１１６】
また、評価入力画面１０００には、作業種別「定植」の作業が行われた実施時期「２０１３／０４／１３、２０１３／０４／２５」と評価「○」とが表示される。また、評価入力画面１０００には、作業種別「追肥」の作業が行われた実施時期「２０１３／０８／１０、２０１３／０８／１２」と評価「○」とが表示される。また、評価入力画面１０００には、作業種別「収穫」の作業が行われた実施時期「２０１３／０８／２５」と評価「○」とが表示される。
【０１１７】
ここで、生産計画情報に、農業生産の最終結果についての総合評価とコメントとが設定されていないため、評価入力画面１０００には、農業生産の最終結果についての総合評価とコメントとが表示されていない。このとき、評価入力画面１０００において、図４に示した入力装置４０７を用いたユーザの操作入力により、アイコン１００１をクリックすると、農業生産の最終結果についての評価を入力することができる。また、評価入力画面１０００において、図４に示した入力装置４０７を用いたユーザの操作入力により、ボックス１００２をクリックすると、農業生産の最終結果についてのコメントを入力することができる。総合評価に関するアイコン１００１や、コメント入力用のボックス１００２に対する入力は、各作業種別についての実施時期及び作業評価が入力済みの場合にのみ、入力可能に制御することができる。また、各作業種別についての実施時期及び作業評価の一部または全部が未入力であっても入力可能に制御してもよい。
【０１１８】
そして、評価入力画面１０００において、図４に示した入力装置４０７を用いたユーザの操作入力により、登録ボタン１００３をクリックすると、入力された内容を、評価入力装置１００に送信することができる。評価入力装置１００は、評価入力画面１０００に入力された各種情報を受信すると、評価入力画面１０００に入力された各種情報に基づいて、生産計画情報を更新する。
【０１１９】
このように、クライアント装置２０１において、ユーザは、農業生産の最終結果についての総合評価とコメントとを入力して、評価入力装置１００に送信することができる。これにより、評価入力装置１００は、クライアント装置２０１において入力された農業生産の最終結果についての総合評価とコメントとを、生産計画情報として登録することができる。このため、ユーザは、農業生産の最終結果についての総合評価とコメントとを登録しておき、農業生産の複数の作業の内容を検討する際に参照することができる。図１０において農業生産の最終結果についての総合評価とコメントとが入力され、生産計画情報として登録されたとして、図１１に示す評価確認画面１１００の説明に移行する。
【０１２０】
（評価確認画面１１００の画面例）
つぎに、図１１を用いて、農業経営者や作業者が使用するクライアント装置２０１のディスプレイ４０６に表示される、評価確認画面１１００の画面例について説明する。以下の説明においては、操作画面に表示されている項目をユーザが選択する操作としてクリック操作を行うことを例として説明する。
【０１２１】
図１１は、評価確認画面１１００の画面例を示す説明図である。図１１において、評価確認画面１１００は、農業経営者や作業者が使用するクライアント装置２０１に表示され、農業生産の複数の作業のそれぞれの評価を確認し、複数の作業のそれぞれの実施時期をテンプレートに反映させる際にメインとなる操作画面である。評価確認画面１１００は、例えば、図４に示した入力装置４０７を用いたユーザの操作入力により、生産計画情報を指定することにより、クライアント装置２０１のディスプレイ４０６に表示される。
【０１２２】
評価確認画面１１００には、図９と同様に、生産計画ＤＢ２２０に記憶された、特定の圃場における特定の作物についての生産計画情報に含まれる、圃場グループ名、圃場名、分筆名、品目、品種、作型、反収、収穫量、作付面積が表示される。また、評価確認画面１１００には、図９と同様に、生産計画情報に含まれる、複数の作業のそれぞれの作業種別、複数の作業のそれぞれの計画作業時期が表示される。
【０１２３】
また、評価確認画面１１００には、図１０と同様に、生産計画情報に含まれる、複数の作業のそれぞれの実施時期、評価が表示される。また、評価確認画面１１００には、さらに、生産計画情報に含まれる、農業生産の最終結果についての総合評価、コメントが表示される。
【０１２４】
また、評価確認画面１１００には、さらに、評価入力装置１００において複数の作業のそれぞれの実施時期に基づいて算出された計画作業時期が表示される。評価確認画面１１００には、例えば、評価入力装置１００において、実施時期「２０１３／０３／３１、２０１３／０４／０３、２０１３／０４／１０」に基づいて算出された計画作業時期「２０１３／０３／３１〜２０１３／０４／１０」が表示される。
【０１２５】
また、評価確認画面１１００には、評価入力装置１００において、実施時期「２０１３／０４／１３、２０１３／０４／２５」に基づいて算出された計画作業時期「２０１３／０４／１３〜２０１３／０４／２５」が表示される。また、評価確認画面１１００には、評価入力装置１００において、実施時期「２０１３／０８／１０、２０１３／０８／１２」に基づいて算出された計画作業時期「２０１３／０８／１０〜２０１３／０８／１２」が表示される。また、評価確認画面１１００には、評価入力装置１００において、実施時期「２０１３／０８／２５」に基づいて算出された計画作業時期「２０１３／０８／２５〜２０１３／０８／２５」が表示される。
【０１２６】
評価確認画面１１００において、図４に示した入力装置４０７を用いたユーザの操作入力により、反映ボタン１１０１をクリックすると、算出された計画作業時期をテンプレートに反映させる要求を、評価入力装置１００に送信することができる。評価入力装置１００は、要求を受信すると、算出された計画作業時期に基づいてテンプレートを作成し、テンプレートＤＢ２３０に登録する。
【０１２７】
このように、クライアント装置２０１において、ユーザは、複数の作業のそれぞれの実施時期に基づいて算出された計画作業時期と実施時期とを把握して、計画作業時期をテンプレートに反映させる要求を、評価入力装置１００に送信することができる。これにより、評価入力装置１００は、複数の作業のそれぞれの実施時期に基づいて算出された計画作業時期を含むテンプレートを作成して、テンプレートＤＢ２３０に登録することができる。このため、ユーザは、農業生産の複数の作業の内容を検討して、新たなテンプレートを作成することができる。
【０１２８】
ここでは、評価入力装置１００は、算出された計画作業時期をそのまま含むテンプレートを作成したが、これに限らない。例えば、評価入力装置１００は、算出された計画作業時期をクライアント装置２０１においてユーザに修正させ、修正された計画作業時期を含むテンプレートを作成してもよい。
【０１２９】
ここでは、評価入力装置１００は、算出された複数の作業のそれぞれの計画作業時期を含むテンプレートを作成したが、これに限らない。例えば、評価入力装置１００は、算出された複数の作業のいずれかの計画作業時期と、既存のテンプレートに含まれる複数の作業のいずれかの計画作業時期とを組み合わせ、組み合わされたそれぞれの計画作業時期を含むテンプレートを作成してもよい。
【０１３０】
（制御処理手順）
つぎに、図１２を用いて、制御処理手順の一例について説明する。
【０１３１】
図１２は、制御処理手順の一例を示すフローチャートである。図１２において、評価入力装置１００は、図１３に後述する計画登録処理、図１４に後述する評価入力処理、図１５に後述する評価確認処理のいずれかの処理が実行対象として選択されたか否かを判定する（ステップＳ１２０１）。
【０１３２】
例えば、評価入力装置１００によって、生産計画登録画面８００の画面情報の要求が受信されることにより、図１３に後述する計画登録処理が実行対象として選択される。また、評価入力装置１００によって、評価入力画面９００，１０００の画面情報の要求が受信されることにより、図１４に後述する評価入力処理が実行対象として選択される。評価入力装置１００によって、評価確認画面１１００の画面情報の要求が受信されることにより、図１５に後述する評価確認処理が実行対象として選択される。
【０１３３】
ここで、図１３に後述する計画登録処理が実行対象として選択された場合（ステップＳ１２０１：計画登録）、評価入力装置１００は、図１３に後述する計画登録処理を実行して（ステップＳ１２０２）、制御処理を終了する。
【０１３４】
一方で、図１４に後述する評価入力処理が実行対象として選択された場合（ステップＳ１２０１：評価入力）、評価入力装置１００は、図１４に後述する評価入力処理を実行して（ステップＳ１２０３）、制御処理を終了する。
【０１３５】
また、図１５に後述する評価確認処理が実行対象として選択された場合（ステップＳ１２０１：評価確認）、評価入力装置１００は、図１５に後述する評価確認処理を実行して（ステップＳ１２０３）、制御処理を終了する。
【０１３６】
上述した計画登録処理、評価入力処理、評価確認処理のそれぞれは、別のプログラムとして表現されていても構わないし、また、実行されるタイミングもそれぞれ別のタイミングであっても構わない。
【０１３７】
つぎに、図１３を用いて、図１２のステップＳ１２０２に示した計画登録処理手順の一例について説明する。
【０１３８】
図１３は、計画登録処理手順の一例を示すフローチャートである。図１３において、評価入力装置１００は、生産計画登録画面８００の画面情報をクライアント装置２０１に送信する（ステップＳ１３０１）。つぎに、評価入力装置１００は、テンプレートを送信するか否かを判定する（ステップＳ１３０２）。ここで、送信しない場合（ステップＳ１３０２：Ｎｏ）、評価入力装置１００は、ステップＳ１３０４の処理に移行する。
【０１３９】
一方で、送信する場合（ステップＳ１３０２：Ｙｅｓ）、評価入力装置１００は、テンプレートをクライアント装置２０１に送信する（ステップＳ１３０３）。ここで、評価入力装置１００は、例えば、クライアント装置２０１から販売目標時期を受信し、販売目標時期にあわせて、テンプレートに含まれる計画作業時期を修正してからクライアント装置２０１に送信してもよい。
【０１４０】
つぎに、評価入力装置１００は、クライアント装置２０１において生産計画登録画面８００に入力された各種情報を、クライアント装置２０１から受信する（ステップＳ１３０４）。そして、評価入力装置１００は、各種情報に基づいて生産計画情報となるレコードを作成して生産計画ＤＢ２２０に登録し（ステップＳ１３０５）、計画登録処理を終了する。これにより、評価入力装置１００は、複数の作業のそれぞれの計画作業時期の入力を受け付けることができる。
【０１４１】
つぎに、図１４を用いて、図１２のステップＳ１２０３に示した評価入力処理手順の一例について説明する。
【０１４２】
図１４は、評価入力処理手順の一例を示すフローチャートである。図１４において、評価入力装置１００は、評価入力画面９００（評価入力画面１０００）の画面情報をクライアント装置２０１に送信する（ステップＳ１４０１）。つぎに、評価入力装置１００は、クライアント装置２０１において評価入力画面９００（評価入力画面１０００）に入力された各種情報をクライアント装置２０１から受信する（ステップＳ１４０２）。
【０１４３】
評価入力装置１００は、例えば、評価入力画面９００に入力された複数の作業のそれぞれの実施時期と評価とを含む各種情報を受信する。または、評価入力装置１００は、評価入力画面１０００に入力された農業生産の最終結果についての総合評価とコメントとを含む各種情報を受信する。
【０１４４】
そして、評価入力装置１００は、受信した各種情報を、生産計画ＤＢ２２０に登録して（ステップＳ１４０３）、評価入力処理を終了する。これにより、評価入力装置１００は、複数の作業のそれぞれの実施時期と評価との入力を受け付けることができる。また、評価入力装置１００は、農業生産の最終結果についての総合評価とコメントとの入力を受け付けることができる。
【０１４５】
つぎに、図１５を用いて、図１２のステップＳ１２０４に示した評価確認処理手順の一例について説明する。
【０１４６】
図１５は、評価確認処理手順の一例を示すフローチャートである。図１５において、評価入力装置１００は、複数の作業のそれぞれの実施時期に基づいて、複数の作業の計画作業時期を算出する（ステップＳ１５０１）。つぎに、評価入力装置１００は、算出した計画作業時期に基づいて評価確認画面１１００の画面情報を作成して、評価確認画面１１００の画面情報をクライアント装置２０１に送信する（ステップＳ１５０２）。そして、評価入力装置１００は、テンプレートを更新するか否かを判定する（ステップＳ１５０３）。ここで、テンプレートを更新しない場合（ステップＳ１５０３：Ｎｏ）、評価入力装置１００は、評価確認処理を終了する。
【０１４７】
一方で、テンプレートを更新する場合（ステップＳ１５０３：Ｙｅｓ）、評価入力装置１００は、クライアント装置２０１において評価確認画面１１００に入力された計画作業時期を含む各種情報を、クライアント装置２０１から受信する（ステップＳ１５０４）。つぎに、評価入力装置１００は、受信した各種情報に基づいてテンプレートを作成して、テンプレートＤＢ２３０に登録する（ステップＳ１５０５）。そして、評価入力装置１００は、評価確認処理を終了する。これにより、評価入力装置１００は、テンプレートを作成して、テンプレートＤＢ２３０に登録することができる。
【０１４８】
以上説明したように、評価入力装置１００によれば、複数の作業のそれぞれについて実施時期の入力を受け付けることができる。さらに、評価入力装置１００によれば、複数の作業をリスト表示するとともに、複数の作業のそれぞれについて、計画作業時期と、実施時期と、評価入力を受け付ける評価入力項目とを表示することができる。
【０１４９】
これにより、評価入力装置１００は、複数の作業のそれぞれについて、実施時期の入力を受け付けることができ、複数の作業のそれぞれの実施時期を記憶しておくことができる。そして、評価入力装置１００は、作業者などが複数の作業のそれぞれの評価を入力する際に、複数の作業のそれぞれの計画作業時期と実施時期とを提供して、作業者が複数の作業のそれぞれを評価しやすくすることができる。
【０１５０】
また、評価入力装置１００は、複数の作業のそれぞれについて、評価入力を受け付けることができ、複数の作業のそれぞれの評価を記憶しておくことができる。そして、評価入力装置１００は、作業者などが複数の作業のそれぞれの内容を検討して、栽培スケジュールの改良を図る際に、複数の作業のそれぞれの実施時期と評価とを提供して、栽培スケジュールの改良を支援することができる。作業者は、具体的には、複数の作業のそれぞれが、どのくらいの時期に行われ、どのくらい上手くいったのかを把握して、栽培スケジュールに反映することができる。
【０１５１】
また、評価入力装置１００によれば、特定の作物についての栽培についての総合評価入力項目も複数の作業の個々の評価入力項目の表示と合わせて表示することができる。これにより、評価入力装置１００は、農業生産についての総合評価入力を受け付けることができ、総合評価を記憶しておくことができる。そして、評価入力装置１００は、作業者などが複数の作業のそれぞれの内容を検討して、栽培スケジュールの改良を図る際に、総合評価を提供して、栽培スケジュールの改良を支援することができる。
【０１５２】
また、評価入力装置１００によれば、評価入力項目に入力された評価入力の内容に応じて、特定の作物に関する栽培スケジュールのテンプレートに対応する作業の実施時期を反映させるか否かの選択肢を提示することができる。これにより、評価入力装置１００は、既存の栽培スケジュールのテンプレートよりも収穫した作物の品質や量が向上する実施時期があれば、既存の栽培スケジュールのテンプレートに当該実施時期を反映させてテンプレートを修正することができる。作業者は、修正したテンプレートを、次回の栽培スケジュールに使用したり、他の作業者に提供することができ、作物の品質や量の向上を図ることができる。
【０１５３】
また、評価入力装置１００によれば、複数の作業のそれぞれが行われるべき計画作業時期を、特定の作物の生育期間と、指定された特定の作物の販売目標時期とに基づいて特定することができる。これにより、評価入力装置１００は、複数の作業のそれぞれの計画作業時期の登録を効率化することができる。
【０１５４】
また、評価入力装置１００によれば、評価入力項目に入力された評価入力の内容に応じて、特定の圃場における特定の作物に関する栽培スケジュールのテンプレートに対応する作業の実施時期を反映させるか否かの選択肢を提示することができる。これにより、評価入力装置１００は、圃場ごとに異なる特定の作物に関する栽培スケジュールを記憶することができる。
【０１５５】
また、評価入力装置１００によれば、反映させると選択されたことに応じて、入力された複数の作業のそれぞれの実施時期を、複数の作業のそれぞれの計画作業時期として含むテンプレートを作成することができる。これにより、評価入力装置１００は、既存の栽培スケジュールのテンプレートとは収穫した作物の品質や量が変化するテンプレートがあれば、新たにテンプレートを作成して記憶することができる。作業者は、既存のテンプレートと新たなテンプレートとを、生産対象となる作物や圃場の状況にあわせて選択して使用することができる。
【０１５６】
なお、本実施の形態で説明した評価入力方法は、予め用意されたプログラムをパーソナル・コンピュータやワークステーション等のコンピュータで実行することにより実現することができる。本評価入力プログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。また本評価入力プログラムは、インターネット等のネットワークを介して配布してもよい。
【符号の説明】
【０１５７】
１００  評価入力装置
２０１  クライアント装置
７０１  表示制御部
７０２  受付部
７０３  登録部
８００  生産計画登録画面
９００、１０００  評価入力画面
１１００  評価確認画面
【図１】
2015173876.tif 000003
【図２】
2015173876.tif 000004
【図３】
2015173876.tif 000005
【図４】
2015173876.tif 000006
【図５】
2015173876.tif 000007
【図６】
2015173876.tif 000008
【図７】
2015173876.tif 000009
【図８】
2015173876.tif 000010
【図９】
2015173876.tif 000011
【図１０】
2015173876.tif 000012
【図１１】
2015173876.tif 000013
【図１２】
2015173876.tif 000014
【図１３】
2015173876.tif 000015
【図１４】
2015173876.tif 000016
【図１５】
2015173876.tif 000017
【手続補正書】
【提出日】平成28年9月27日(2016.9.27)
【手続補正１】
【補正対象書類名】特許請求の範囲
【補正対象項目名】全文
【補正方法】変更
【補正の内容】
【特許請求の範囲】
【請求項１】
コンピュータが、
特定の作物を栽培する特定の圃場について、該特定の圃場において行われるべき複数の作業を該複数の作業のそれぞれが行われるべき計画作業時期と対応づけて登録し、
前記特定の圃場において行われる前記複数の作業のうち少なくとも１以上の作業について、実施時期の入力を受け付け、
登録された前記計画作業時期を参照して、前記複数の作業の計画作業時期の時期順に従って前記複数の作業をリスト表示するとともに、前記複数の作業のそれぞれについて、登録された計画作業時期と、少なくとも１以上の作業について入力された実施時期と評価入力を受け付ける評価入力項目とを表示する、
処理を実行することを特徴とする作物の栽培に関する評価入力方法。
【請求項２】
前記コンピュータが、
さらに、前記特定の作物についての栽培についての総合評価入力項目も前記複数の作業の個々の評価入力項目の表示と合わせて表示する、
処理を実行することを特徴とする請求項１に記載の作物の栽培に関する評価入力方法。
【請求項３】
前記コンピュータが、
前記評価入力項目に入力された評価入力の内容に応じて、前記特定の作物に関する栽培スケジュールのテンプレートに対応する作業の実施時期を反映させるか否かの選択肢を提示する、
処理を実行することを特徴とする請求項１に記載の作物の栽培に関する評価入力方法。
【請求項４】
前記コンピュータが、
さらに、前記複数の作業のそれぞれが行われるべき計画作業時期を、前記特定の作物の生育期間と、指定された前記特定の作物の販売目標時期とに基づいて特定する、
処理を実行することを特徴とする請求項１に記載の作物の栽培に関する評価入力方法。
【請求項５】
コンピュータに、
特定の作物を栽培する特定の圃場について、該特定の圃場において行われるべき複数の作業を該複数の作業のそれぞれが行われるべき計画作業時期と対応づけて登録し、
前記特定の圃場において行われる前記複数の作業のうち少なくとも１以上の作業について、実施時期の入力を受け付け、
登録された前記計画作業時期を参照して、前記複数の作業の計画作業時期の時期順に従って前記複数の作業をリスト表示するとともに、前記複数の作業のそれぞれについて、登録された計画作業時期と、少なくとも１以上の作業について入力された実施時期と、評価入力を受け付ける評価入力項目とを表示する、
処理を実行させることを特徴とする作物の栽培に関する評価入力プログラム。
【請求項６】
特定の作物を栽培する特定の圃場について、該特定の圃場において行われるべき複数の作業を該複数の作業のそれぞれが行われるべき計画作業時期と対応づけて登録し、前記特定の圃場において行われる前記複数の作業のうち少なくとも１以上の作業について、実施時期の入力を受け付け、登録された前記計画作業時期を参照して、前記複数の作業の計画作業時期の時期順に従って前記複数の作業をリスト表示するとともに、前記複数の作業のそれぞれについて、登録された計画作業時期と、少なくとも１以上の作業について入力された実施時期と、評価入力を受け付ける評価入力項目とを表示する制御部を有することを特徴とする作物の栽培に関する評価入力装置。
【手続補正２】
【補正対象書類名】明細書
【補正対象項目名】全文
【補正方法】変更
【補正の内容】
【発明の詳細な説明】
【技術分野】
【０００１】
本発明は、作物の栽培に関する評価入力方法、作物の栽培に関する評価入力プログラム、および作物の栽培に関する評価入力装置に関する。
【背景技術】
【０００２】
従来、作物の栽培スケジュールに従って圃場に対して幾つかの作業を行うことにより収穫された作物の量などに基づいて作物の栽培についての評価を行う場合がある。関連する技術としては、例えば、栽培の作業内容を履歴として管理する手段、作業内容が栽培基準を満たしているかを判定する手段、基準計画を立てる際の支援を行う手段、および、生産履歴等を管理する手段などを備えるものがある。また、例えば、農作業日誌データ、農業経費データ、および、農業売上データなどの農業経営データをデータベース化した農業経営データベースを参照し、農作物別に作業労力を算出したり経費を算出したり売上を算出する各種シミュレーションを行う技術がある。
【先行技術文献】
【特許文献】
【０００３】
【特許文献１】特開２００６−０１１５６２号公報
【特許文献２】特開２０１０−２５７３５３号公報
【発明の概要】
【発明が解決しようとする課題】
【０００４】
しかしながら、上述した従来技術では、圃場における作物の栽培のために複数の作業が行われた場合に、どの作業がどのくらい上手くいったのかを把握することが難しく、どの作業の内容を見直すべきかを検討することができない。
【０００５】
１つの側面では、本発明は、圃場において行われる複数の作業のそれぞれについて評価入力を行うことができる作物の栽培に関する評価入力方法、作物の栽培に関する評価入力プログラム、および作物の栽培に関する評価入力装置を提供することを目的とする。
【課題を解決するための手段】
【０００６】
本発明の一側面によれば、特定の作物を栽培する特定の圃場について、該特定の圃場において行われるべき複数の作業を該複数の作業のそれぞれが行われるべき計画作業時期と対応づけて登録し、前記特定の圃場において行われる前記複数の作業のうち少なくとも１以上の作業について、実施時期の入力を受け付け、登録された前記計画作業時期を参照して、前記複数の作業の計画作業時期の時期順に従って前記複数の作業をリスト表示するとともに、前記複数の作業のそれぞれについて、登録された計画作業時期と、少なくとも１以上の作業について入力された実施時期と、評価入力を受け付ける評価入力項目とを表示する作物の栽培に関する評価入力方法、作物の栽培に関する評価入力プログラム、および作物の栽培に関する評価入力装置が提案される。
【発明の効果】
【０００７】
本発明の一態様によれば、圃場において行われる複数の作業のそれぞれについて評価入力を行うことができるという効果を奏する。
【図面の簡単な説明】
【０００８】
【図１】図１は、評価入力方法の一実施例を示す説明図である。
【図２】図２は、農業支援システム２００のシステム構成例を示す説明図である。
【図３】図３は、評価入力装置１００のハードウェア構成例を示すブロック図である。
【図４】図４は、クライアント装置２０１のハードウェア構成例を示すブロック図である。
【図５】図５は、生産計画ＤＢ２２０の記憶内容の一例を示す説明図である。
【図６】図６は、テンプレートＤＢ２３０の記憶内容の一例を示す説明図である。
【図７】図７は、評価入力装置１００の機能的構成例を示すブロック図である。
【図８】図８は、生産計画登録画面８００の画面例を示す説明図である。
【図９】図９は、評価入力画面９００の画面例を示す説明図である。
【図１０】図１０は、評価入力画面１０００の画面例を示す説明図である。
【図１１】図１１は、評価確認画面１１００の画面例を示す説明図である。
【図１２】図１２は、制御処理手順の一例を示すフローチャートである。
【図１３】図１３は、計画登録処理手順の一例を示すフローチャートである。
【図１４】図１４は、評価入力処理手順の一例を示すフローチャートである。
【図１５】図１５は、評価確認処理手順の一例を示すフローチャートである。
【発明を実施するための形態】
【０００９】
以下に添付図面を参照して、本発明にかかる作物の栽培に関する評価入力方法、作物の栽培に関する評価入力プログラム、および作物の栽培に関する評価入力装置の実施の形態を詳細に説明する。
【００１０】
（作物の栽培に関する評価入力方法の一実施例）
まず、図１を用いて、実施の形態にかかる作物の栽培に関する評価入力方法の一実施例について説明する。
【００１１】
図１は、評価入力方法の一実施例を示す説明図である。評価入力装置１００は、本発明にかかる評価入力プログラムを実行し、作物の栽培スケジュールに従って作物を栽培する圃場において行われた作業について評価入力を受け付けるコンピュータである。
【００１２】
栽培スケジュールとは、作物に関する作業の予定である。作物とは、農業活動によって生産されるものである。作物とは、大分類として、例えば、穀類、野菜、果物、花卉などがある。圃場とは、作物を栽培、生育するための田畑、菜園などである。作業とは、農業生産のための作業である。作業とは、例えば、耕耘、播種、定植、見回り、肥料散布、農薬散布、追肥、灌水などである。
【００１３】
ここで、圃場において複数の作業が行われた後に、それぞれの作業の内容を検討し、栽培スケジュールの改良を図るためには、どの作業がどのくらい上手くいったのかを把握し、どの作業の内容を検討すべきかを把握することが望まれる。上手くいったとは、例えば、作業にかかった日数が例年より短かったり、作物の収穫量が例年より多かったり、不良だった作物が少なかったりすることである。
【００１４】
また、天候の悪化などにより複数の作業のいずれかが本来行う予定の時期とは異なる時期に行われた場合、栽培スケジュールの改良を図るためには、予定の時期と実際の実施時期とがずれた結果、作業がどのくらい上手くいったのかを把握することが望まれる。また、作物の生育状況などを考慮して複数の作業のいずれかが本来行う予定の時期とは異なる時期に行われた場合、栽培スケジュールの改良を図るためには、予定の時期と実際の実施時期とがずれた結果、作業がどのくらい上手くいったのかを把握することが望まれる。しかしながら、農業生産された作物の収穫量などの農業生産の最終結果を参照するだけでは、それぞれの作業の内容を検討し、栽培スケジュールの改良を図ることは難しい。
【００１５】
そこで、本実施の形態では、圃場において行われた複数の作業のそれぞれについて、実施時期の入力を受け付けるとともに、評価入力を受け付ける評価入力方法について説明する。以下、評価入力装置１００の作物の栽培に関する評価入力処理例について説明する。ここでは、評価入力装置１００を、農業経営者や作業者が使用するＰＣ（パーソナル・コンピュータ）、タブレット型ＰＣ、スマートフォンなどに適用した場合を例に挙げて説明する。
【００１６】
（１）評価入力装置１００は、計画作業時期を参照して、複数の作業の計画作業時期の時期順に従って、複数の作業をリスト表示するとともに、複数の作業のそれぞれについて、計画作業時期と、実施時期の入力項目と、評価入力項目とを表示する。評価入力装置１００は、例えば、図１に示すような、複数の作業のそれぞれについて、作業の種別と、計画作業時期と、実施時期の入力項目と、評価入力項目とが含まれ、実施時期の入力と評価入力とを受け付けるための入力画面１１０を表示する。
【００１７】
（２）評価入力装置１００は、不図示のキーボードやマウスを用いたユーザの操作入力により、複数の作業のそれぞれについて実施時期の入力を受け付ける。評価入力装置１００は、例えば、実施時期を入力可能なボックス形式の実施時期の入力項目１１１〜１１４において、不図示のキーボードやマウスを用いたユーザの操作入力により入力された実施時期を受け付ける。実施時期は、例えば、作業が行われた日付である。
【００１８】
（３）評価入力装置１００は、不図示のキーボードやマウスを用いたユーザの操作入力により、複数の作業のそれぞれについて評価入力を受け付ける。評価入力装置１００は、例えば、評価をあらわす「◎、○、×、？」のうちのいずれかを選択可能なプルダウンメニュー形式の評価入力項目１１５〜１１８において、不図示のキーボードやマウスを用いたユーザの操作入力により選択された評価を受け付ける。◎は、作業が模範的成功であることをあらわすマークである。○は、作業が成功であることをあらわすマークである。×は、作業が失敗であることをあらわすマークである。？は、作業が評価不可能であることをあらわすマークである。
【００１９】
このように、実施の形態にかかる評価入力装置１００によれば、圃場において複数の作業が行われた場合に、複数の作業のそれぞれについて実施時期の入力を受け付けることができる。また、評価入力装置１００によれば、複数の作業のそれぞれについて、計画作業時期と実施時期とを表示しつつ、評価入力を受け付けることができる。これにより、評価入力装置１００は、作業者が複数の作業のそれぞれを評価しやすくすることができる。また、評価入力装置１００は、作業者などによる複数の作業のそれぞれの実施時期と評価とを記憶することができる。
【００２０】
その後、評価入力装置１００は、作業者などが複数の作業のそれぞれの内容を検討する場合に、複数の作業のそれぞれの実施時期と評価とを提供して、作業の内容の検討を支援することができる。作業者は、例えば、複数の作業のそれぞれが、どのような時期に行われ、どのくらい上手くいったのかを把握することができ、作業の内容を検討することができる。作業者は、具体的には、天候の悪化により今回の作業の実施時期が計画作業時期とずれたが作業が上手くいった場合、次回の当該作業の計画作業時期として、今回の作業の実施時期を流用することができる。また、作業者は、具体的には、今回の作業の実施時期が計画作業時期と同じであるが作業が上手くいかなかった場合、次回の当該作業の計画作業時期として、今回の作業の実施時期とは異なる時期を検討することができる。
【００２１】
（農業支援システム２００のシステム構成例）
つぎに、図１に示した評価入力装置１００を農業支援システム２００に適用した場合について説明する。
【００２２】
図２は、農業支援システム２００のシステム構成例を示す説明図である。図２において、農業支援システム２００は、評価入力装置１００と、クライアント装置２０１−１〜２０１−ｎと、を含む構成である（ｎは、２以上の自然数）。農業支援システム２００において、評価入力装置１００とクライアント装置２０１−１〜２０１−ｎは、有線または無線のネットワーク２１０を介して接続される。ネットワーク２１０は、例えば、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、インターネットなどである。
【００２３】
ここで、評価入力装置１００は、生産計画ＤＢ（データベース）２２０、およびテンプレートＤＢ２３０を有し、クライアント装置２０１−１〜２０１−ｎの表示制御を行う。評価入力装置１００は、例えば、サーバである。各種ＤＢ等２２０，２３０の記憶内容については、図５および図６を用いて後述する。
【００２４】
クライアント装置２０１−１〜２０１−ｎは、ディスプレイ（例えば、後述する図４に示すディスプレイ４０６）を有し、評価入力装置１００の表示制御に従って、各種画面を表示可能なコンピュータである。クライアント装置２０１−１〜２０１−ｎは、例えば、農業経営者や作業者が使用するＰＣ、ノートＰＣ、タブレット型ＰＣ、スマートフォンなどである。
【００２５】
具体的には、例えば、評価入力装置１００は、クライアント装置２０１−１〜２０１−ｎから各種画面の表示要求を受信すると、各種画面の画面情報を生成してクライアント装置２０１−１〜２０１−ｎに送信する。この結果、クライアント装置２０１−１〜２０１−ｎのディスプレイに各種画面が表示される。
【００２６】
以下の説明では、クライアント装置２０１−１〜２０１−ｎを単に「クライアント装置２０１」と表記する場合がある。
【００２７】
（評価入力装置１００のハードウェア構成例）
図３は、評価入力装置１００のハードウェア構成例を示すブロック図である。図３において、評価入力装置１００は、ＣＰＵ（Ｃｅｎｔｒａｌ  Ｐｒｏｃｅｓｓｉｎｇ  Ｕｎｉｔ）３０１と、メモリ３０２と、Ｉ／Ｆ（Ｉｎｔｅｒｆａｃｅ）３０３と、ディスクドライブ３０４と、ディスク３０５と、を有する。また、各構成部は、バス３００によってそれぞれ接続される。
【００２８】
ここで、ＣＰＵ３０１は、評価入力装置１００の全体の制御を司る。メモリ３０２は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）およびフラッシュＲＯＭなどを有する。具体的には、例えば、フラッシュＲＯＭやＲＯＭが各種プログラムを記憶し、ＲＡＭがＣＰＵ３０１のワークエリアとして使用される。メモリ３０２に記憶されるプログラムは、ＣＰＵ３０１にロードされることで、コーディングされている処理をＣＰＵ３０１に実行させる。
【００２９】
Ｉ／Ｆ３０３は、通信回線を通じてネットワーク２１０に接続され、ネットワーク２１０を介して他のコンピュータ（例えば、図２に示したクライアント装置２０１）に接続される。そして、Ｉ／Ｆ３０３は、ネットワーク２１０と内部のインターフェースを司り、他のコンピュータからのデータの入出力を制御する。Ｉ／Ｆ３０３には、例えば、モデムやＬＡＮアダプタなどを採用することができる。
【００３０】
ディスクドライブ３０４は、ＣＰＵ３０１の制御に従ってディスク３０５に対するデータのリード／ライトを制御する。ディスク３０５は、ディスクドライブ３０４の制御で書き込まれたデータを記憶する。ディスク３０５としては、例えば、磁気ディスク、光ディスクなどが挙げられる。
【００３１】
評価入力装置１００は、上述した構成部のほか、例えば、ＳＳＤ（Ｓｏｌｉｄ  Ｓｔａｔｅ  Ｄｒｉｖｅ）、キーボード、マウス、ディスプレイなどを有することにしてもよい。
【００３２】
（クライアント装置２０１のハードウェア構成例）
図４は、クライアント装置２０１のハードウェア構成例を示すブロック図である。図４において、クライアント装置２０１は、ＣＰＵ４０１と、メモリ４０２と、ディスクドライブ４０３と、ディスク４０４と、Ｉ／Ｆ４０５と、ディスプレイ４０６と、入力装置４０７と、を有する。また、各構成部はバス４００によってそれぞれ接続される。
【００３３】
ここで、ＣＰＵ４０１は、クライアント装置２０１の全体の制御を司る。メモリ４０２は、例えば、ＲＯＭ、ＲＡＭおよびフラッシュＲＯＭなどを有する。具体的には、例えば、フラッシュＲＯＭやＲＯＭが各種プログラムを記憶し、ＲＡＭがＣＰＵ４０１のワークエリアとして使用される。メモリ４０２に記憶されるプログラムは、ＣＰＵ４０１にロードされることで、コーディングされている処理をＣＰＵ４０１に実行させる。
【００３４】
ディスクドライブ４０３は、ＣＰＵ４０１の制御に従ってディスク４０４に対するデータのリード／ライトを制御する。ディスク４０４は、ディスクドライブ４０３の制御で書き込まれたデータを記憶する。ディスク４０４としては、例えば、磁気ディスク、光ディスクなどが挙げられる。
【００３５】
Ｉ／Ｆ４０５は、通信回線を通じてネットワーク２１０に接続され、ネットワーク２１０を介して他のコンピュータ（例えば、図２に示した評価入力装置１００）に接続される。そして、Ｉ／Ｆ４０５は、ネットワーク２１０と内部のインターフェースを司り、他のコンピュータからのデータの入出力を制御する。
【００３６】
ディスプレイ４０６は、カーソル、アイコンあるいはツールボックスをはじめ、文書、画像、機能情報などのデータを表示する。ディスプレイ４０６は、例えば、ＣＲＴ（Ｃａｔｈｏｄｅ  Ｒａｙ  Ｔｕｂｅ）、液晶ディスプレイ、有機ＥＬ（Ｅｌｅｃｔｒｏｌｕｍｉｎｅｓｃｅｎｃｅ）ディスプレイなどを採用することができる。
【００３７】
入力装置４０７は、文字、数字、各種指示などの入力のためのキーを有し、データの入力を行う。入力装置４０７は、キーボードやマウスなどであってもよく、また、タッチパネル式の入力パッドやテンキーなどであってもよい。
【００３８】
クライアント装置２０１は、上述した構成部のうち、例えば、ディスクドライブ４０３、ディスク４０４などを有さないことにしてもよい。また、クライアント装置２０１は、上述した構成部のほか、例えば、ＳＳＤ、スキャナ、プリンタなどを有することにしてもよい。
【００３９】
（各種ＤＢ２２０，２３０の記憶内容）
つぎに、図５および図６を用いて各種ＤＢ２２０，２３０の記憶内容について説明する。各種ＤＢ２２０，２３０は、例えば、図３に示した評価入力装置１００のメモリ３０２、ディスク３０５により実現される。
【００４０】
＜生産計画ＤＢ２２０の記憶内容＞
図５は、生産計画ＤＢ２２０の記憶内容の一例を示す説明図である。図５において、生産計画ＤＢ２２０は、計画ＩＤ、圃場グループ名、圃場名、分筆名、品目、品種、作型、反収、収穫量、作付面積、作業種別、計画作業時期、実施時期、評価、総合評価、およびコメントのフィールドを有する。
【００４１】
各フィールドに情報を設定することで、生産計画情報（例えば、生産計画情報５００−１〜５００−３）がレコードとして記憶される。ここで、生産計画とは、生産対象となる作物を、どの圃場に、どのような栽培スケジュールで、どのくらい作付けし、どのくらい収穫するのかの計画である。圃場における作物の栽培は、生産計画に沿って行われる。
【００４２】
計画ＩＤは、生産計画を識別する識別子である。計画ＩＤは、例えば、生産計画が立てられた順に割り振られる。また、計画ＩＤは、例えば、新たな生産計画が立てられるたびに、圃場における最初の作業予定日が早い順に振り直されることにしてもよい。また、同一圃場について複数の生産計画が立てられた場合は、計画ＩＤとして枝番が用いられる。枝番には、最初の作業予定日が早い順に若い番号が割り振られる。
【００４３】
圃場グループ名は、例えば、圃場が属する圃場グループの名称である。圃場名は、圃場の名称である。分筆名は、１つの圃場を区切って分割した区画の名称である分筆名称である。品目は、作物の種類である。品目としては、例えば、トマト、きゅうり、水稲、キャベツなどがある。品種は、同一品目の中の種類である。例えば、キャベツの品種として、夏蒔きの品種であれば「彩風」「グリーンボール」、春蒔きの品種であれば「中早生２号」「中早生３号」「秋早生」「新風」などがある。例えば、トマトの品種として、「湘南ポモロン」「桃太郎」などがある。
【００４４】
作型は、作物の栽培を行うときの条件や技術の組み合わせを示す体系である。作型としては、例えば、ハウス栽培、露地栽培、夏蒔き栽培などがある。反収は、１反当たりの収穫高である。１反とは、約１０ａである。収穫量は、圃場において収穫される作物の量である。作付面積は、作物を作付けする面積である。
【００４５】
作業種別は、農業生産のための作業を作業内容で区分けしたものである。作業種別としては、例えば、播種、定植、追肥、および収穫などがある。計画作業時期は、農業生産における複数の作業のうちのいずれかの作業が行われる予定の時期である。実施時期は、農業生産における複数の作業のうちのいずれかの作業が行われた実際の時期である。実施時期としては、例えば、作業が行われた実際の日付がある。また、実施時期として、作業の開始時期から終了時期までの期間が設定されてもよい。
【００４６】
評価は、農業生産における複数の作業のいずれかの作業の内容や結果について価値付けたものである。評価としては、例えば、評価を表す「◎、○、×、？」のアイコンのうちのいずれかが設定される。評価としては、例えば、評価がよいほど数値が大きくなる評価値が設定されてもよい。総合評価は、農業生産の最終結果について価値付けたものである。総合評価としては、例えば、作業についての評価と同様に、アイコンが設定されてもよいし、評価値が設定されてもよい。コメントは、農業生産の最終結果の説明、感想、備考、注意点、または総合評価の理由などを示す文章である。
【００４７】
＜テンプレートＤＢ２３０の記憶内容＞
図６は、テンプレートＤＢ２３０の記憶内容の一例を示す説明図である。図６において、テンプレートＤＢ２３０は、テンプレートＩＤ、圃場グループ名、圃場名、分筆名、品目、品種、作型、作業種別、および計画作業時期のフィールドを有する。テンプレートＤＢ２３０は、各フィールドに情報を設定することで、計画作業時期のテンプレート（例えば、テンプレート６００−１〜６００−３）をレコードとして記憶する。
【００４８】
テンプレートは、特定の作物についての生産計画の雛形である。テンプレートは、特定の圃場における特定の作物についての生産計画の雛形であってもよい。テンプレートＩＤは、テンプレートを識別する識別子である。テンプレートＩＤは、例えば、テンプレートが作成された順に割り振られる。
【００４９】
圃場グループ名は、例えば、テンプレートを適用可能な圃場グループの名称である。圃場名は、テンプレートを適用可能な圃場の名称である。分筆名は、テンプレートを適用可能な分筆の名称である。例えば、テンプレートが、いずれの圃場にも適用可能な場合には、圃場グループ名、圃場名、および分筆名は設定されなくてよい。また、テンプレートが、特定の圃場グループに属するいずれの圃場にも適用可能な場合には、圃場名、および分筆名は設定されなくてよい。また、テンプレートが、特定の圃場のいずれの分筆にも適用可能な場合には、分筆名は設定されなくてよい。
【００５０】
品目は、作物の種類である。品種は、同一品目の中の種類である。作型は、作物の栽培を行うときの条件や技術の組み合わせを示す体系である。例えば、テンプレートが、特定の品種や作型に限らず特定の作物であれば適用可能な場合には、品種、および作型は設定されなくてよい。また、テンプレートが、特定の作型に限らず特定の品種であれば適用可能な場合には、作型は設定されなくてよい。作業種別は、農業生産のための作業を作業の内容で区分けしたものである。計画作業時期は、農業生産における複数の作業のうちのいずれかの作業が行われる予定の時期として設定可能な雛形である。
【００５１】
また、テンプレートＤＢ２３０は、地域、および季節などのフィールドを有してもよい。地域は、テンプレートを適用可能な地域の名称である。地域としては、例えば、東北、関東、九州などの地方の名称、都道府県や市区町村の名称などがある。季節は、テンプレートを適用可能な季節の名称である。季節としては、例えば、春夏秋冬や１２ヶ月のうちのいずれかの月の名称などがある。
【００５２】
（評価入力装置１００の機能的構成例）
つぎに、図７を用いて、評価入力装置１００の機能的構成例について説明する。
【００５３】
図７は、評価入力装置１００の機能的構成例を示すブロック図である。評価入力装置１００は、制御部となる機能として、表示制御部７０１と、受付部７０２と、登録部７０３とを含む。
【００５４】
表示制御部７０１と、受付部７０２と、登録部７０３とは、例えば、図３に示したメモリ３０２に記憶されたプログラムをＣＰＵ３０１に実行させることにより、または、Ｉ／Ｆ３０３により、その機能を実現する。各機能部の処理結果は、例えば、メモリ３０２、ディスク３０５などの記憶装置に記憶される。
【００５５】
＜計画作業時期を登録する動作（その１）＞
評価入力装置１００が、特定の作物を栽培する特定の圃場について、該特定の圃場において行われるべき複数の作業を該複数の作業のそれぞれが行われるべき計画作業時期と対応づけて登録する動作について説明する。圃場とは、作物を栽培、生育するための田畑、菜園などである。特定の圃場とは、生産計画が立てられた圃場である。特定の圃場とは、クライアント装置２０１のユーザにより任意に選択される圃場である。
【００５６】
作物とは、農業活動によって生産されるものである。作物とは、大分類として、例えば、穀類、野菜、果物、花卉などがある。特定の作物とは、特定の圃場に作付けされることが計画された生産対象となる作物である。作業とは、農業生産のための作業である。作業とは、例えば、耕耘、播種、定植、見回り、肥料散布、農薬散布、追肥、灌水などである。播種とは、種蒔きである。定植とは、植え替えである。計画作業時期とは、作業が行われるべき時期として設定された時期である。
【００５７】
表示制御部７０１は、例えば、生産計画ＤＢ２２０から、特定の作物を栽培する特定の圃場についての生産計画情報５００−１を抽出する。つぎに、表示制御部７０１は、生産計画情報５００−１の内容が表示され、複数の作業のそれぞれの種別と、複数の作業のそれぞれの計画作業時期との入力を受け付ける入力項目が表示された、図８に後述するような生産計画登録画面８００の画面情報を作成する。
【００５８】
そして、表示制御部７０１は、生産計画登録画面８００の画面情報をクライアント装置２０１に送信する。クライアント装置２０１は、生産計画登録画面８００の画面情報を受信すると、生産計画登録画面８００を表示する。クライアント装置２０１は、不図示のキーボードやマウスを用いたユーザの操作入力により、複数の作業の種別と、複数の作業のそれぞれの計画作業時期との入力を受け付け、評価入力装置１００に送信する。
【００５９】
受付部７０２は、複数の作業の種別と、複数の作業のそれぞれが行われるべき計画作業時期とを、クライアント装置２０１から受信する。登録部７０３は、受信された、複数の作業の種別を、複数の作業のそれぞれが行われるべき計画作業時期と対応づけて、生産計画ＤＢ２２０の生産計画情報５００−１に登録する。
【００６０】
これにより、評価入力装置１００は、複数の作業のそれぞれの計画作業時期を記憶しておくことができ、クライアント装置２０１に表示させることができる。このため、評価入力装置１００は、作業者に計画作業時期を把握させ、農業生産を支援することができる。
【００６１】
＜計画作業時期を登録する動作の他の例（その２）＞
評価入力装置１００が、複数の作業のそれぞれが行われるべき計画作業時期を、テンプレートに基づいて特定して、複数の作業を、複数の作業のそれぞれの計画作業時期と対応づけて登録してもよい。
【００６２】
受付部７０２は、例えば、生産計画登録画面８００の画面情報をクライアント装置２０１に送信した後、テンプレートを通知する要求をクライアント装置２０１から受信する。表示制御部７０１は、受付部７０２によって要求が受信されると、テンプレートＤＢ２３０から、特定の作物を栽培する特定の圃場についてのテンプレート６００−１を抽出する。表示制御部７０１は、テンプレート６００−１をクライアント装置２０１に送信する。
【００６３】
クライアント装置２０１は、テンプレート６００−１を受信すると、生産計画登録画面８００の入力項目に、テンプレート６００−１に含まれる複数の作業のそれぞれの種別と、計画作業時期とを自動入力する。クライアント装置２０１は、不図示のキーボードやマウスを用いたユーザの操作入力により、複数の作業のそれぞれの種別と、複数の作業のそれぞれの計画作業時期との修正を受け付け、評価入力装置１００に送信する。
【００６４】
受付部７０２は、複数の作業のそれぞれの種別と、複数の作業のそれぞれが行われるべき計画作業時期とを、クライアント装置２０１から受信する。登録部７０３は、複数の作業のそれぞれの種別を、複数の作業のそれぞれが行われるべき計画作業時期と対応づけて、生産計画ＤＢ２２０の生産計画情報５００−１に登録する。
【００６５】
これにより、評価入力装置１００は、複数の作業のそれぞれの計画作業時期の登録を効率化することができる。作業者は、計画作業時期を手動で入力しなくてもよいため、作業負担を低減することができる。
【００６６】
＜計画作業時期を登録する動作の他の例（その３）＞
評価入力装置１００が、複数の作業のそれぞれが行われるべき計画作業時期を、特定の作物の生育期間と、指定された特定の作物の販売目標時期とに基づいて特定して、複数の作業を、複数の作業のそれぞれの計画作業時期と対応づけて登録してもよい。生育期間とは、特定の作物が収穫可能になるまでに各作業にかかる期間である。販売目標時期とは、農業生産された作物の収穫を開始して販売を開始する時期である。
【００６７】
受付部７０２は、例えば、生産計画登録画面８００の画面情報をクライアント装置２０１に送信した後、特定の作物の販売目標時期とともに、複数の作業のそれぞれの計画作業時期を特定する要求を、クライアント装置２０１から受信する。表示制御部７０１は、受付部７０２によって要求が受信されると、テンプレートＤＢ２３０から、特定の作物を栽培する特定の圃場についてのテンプレート６００−１を抽出する。表示制御部７０１は、テンプレート６００−１から、複数の作業のそれぞれの計画作業時期を抽出し、複数の作業のそれぞれにおける特定の作物の生育期間を算出する。表示制御部７０１は、販売目標時期に特定の作物を収穫して販売することが可能になるように、販売目標時期から生育期間の分を遡った、新たな計画作業時期を特定し、クライアント装置２０１に送信する。
【００６８】
具体的には、販売目標時期「２０１３／０９／０１」である場合を例に挙げて、説明する。また、播種の計画作業時期「２０１３／０４／０１〜２０１３／０４／０９」、定植の計画作業時期「２０１３／０４／１０〜２０１３／０４／３０」、追肥の計画作業時期「２０１３／０８／０１〜２０１３／０８／０７」、収穫の計画作業時期「２０１３／０８／２５〜２０１３／０９／０２」とする。
【００６９】
この場合、表示制御部７０１は、播種についての作業期間として、期間「８日」を算出する。表示制御部７０１は、播種についての生育期間として、播種の計画作業時期の始まり「２０１３／０４／０１」から定植の計画作業時期の始まり「２０１３／０４／１０」までの期間「９日」を算出する。表示制御部７０１は、定植についての作業期間として、期間「２０日」を算出する。表示制御部７０１は、定植についての生育期間として、定植の計画作業時期の始まり「２０１３／０４／１０」から追肥の計画作業時期の始まり「２０１３／０８／０１」までの期間「１１３日」を算出する。表示制御部７０１は、追肥についての作業期間として、期間「６日」を算出する。表示制御部７０１は、追肥についての生育期間として、追肥の計画作業時期の始まり「２０１３／０８／０１」から収穫の計画作業時期の始まり「２０１３／０８／２５」までの期間「２４日」を算出する。
【００７０】
表示制御部７０１は、販売目標時期「２０１３／０９／０１」から、算出した追肥の生育期間「２４日」の分を遡って、新たな追肥の計画作業時期の始まり「２０１３／０８／０８」を特定する。表示制御部７０１は、特定した始まりの日付と、作業期間「６日」とに基づいて、新たな追肥の計画作業時期「２０１３／０８／０８〜２０１３／０８／１４」を特定する。
【００７１】
表示制御部７０１は、追肥の計画作業時期の始まり「２０１３／０８／０８」から、算出した定植の生育期間「１１３日」の分を遡って、新たな定植の計画作業時期の始まり「２０１３／０４／１７」を特定する。表示制御部７０１は、特定した始まりの日付と、作業期間「２０日」とに基づいて、新たな定植の計画作業時期「２０１３／０４／１７〜２０１３／０５／０７」を特定する。
【００７２】
表示制御部７０１は、定植の計画作業時期の始まり「２０１３／０４／１７」から、算出した播種の生育期間「９日」を遡って、新たな播種の計画作業時期の始まり「２０１３／０４／０８」を特定する。表示制御部７０１は、特定した始まりの日付と、作業期間「８日」とに基づいて、新たな播種の計画作業時期「２０１３／０４／０８〜２０１３／０４／１６」を特定する。
【００７３】
また、表示制御部７０１は、販売目標時期に特定の作物の収穫を終了して販売を開始することが可能になるように、販売目標時期から生育期間の分と収穫期間の分とを遡った、新たな計画作業時期を特定し、クライアント装置２０１に送信してもよい。この場合、表示制御部７０１は、播種や定植の計画作業時期を特定したのと同様に、収穫の計画作業時期を特定することになる。
【００７４】
クライアント装置２０１は、新たな計画作業時期を受信すると、生産計画登録画面８００の入力項目に、複数の作業のそれぞれの種別と、新たな計画作業時期とを自動入力する。クライアント装置２０１は、不図示のキーボードやマウスを用いたユーザの操作入力により、複数の作業のそれぞれの種別と、複数の作業のそれぞれの計画作業時期との修正を受け付け、評価入力装置１００に送信する。
【００７５】
受付部７０２は、複数の作業のそれぞれの種別と、複数の作業のそれぞれが行われるべき計画作業時期とを、クライアント装置２０１から受信する。登録部７０３は、複数の作業のそれぞれの種別を、複数の作業のそれぞれが行われるべき計画作業時期と対応づけて、生産計画ＤＢ２２０の生産計画情報５００−１に登録する。
【００７６】
これにより、評価入力装置１００は、複数の作業のそれぞれの計画作業時期の登録を効率化することができる。作業者は、計画作業時期を手動で入力しなくてもよいため、作業負担を低減することができる。
【００７７】
＜実施時期を登録する動作＞
評価入力装置１００が、特定の圃場において行われる複数の作業のそれぞれについて、実施時期の入力を受け付け、複数の作業のそれぞれに対応づけて実施時期を登録する動作について説明する。実施時期とは、作業が行われた日付である。実施時期とは、作業が行われた期間であってもよい。
【００７８】
表示制御部７０１は、例えば、生産計画情報５００−１の内容が表示され、複数の作業のそれぞれの実施時期の入力を受け付ける入力項目が表示された、図９に示すような評価入力画面９００の画面情報を、クライアント装置２０１に送信する。クライアント装置２０１は、評価入力画面９００の画面情報を受信すると、評価入力画面９００を表示し、不図示のキーボードやマウスを用いたユーザの操作入力により、複数の作業のそれぞれの実施時期の入力を受け付け、評価入力装置１００に送信する。受付部７０２は、複数の作業のそれぞれの実施時期を、クライアント装置２０１から受信する。登録部７０３は、複数の作業の実施時期を、生産計画ＤＢ２２０の生産計画情報５００−１に登録する。
【００７９】
これにより、評価入力装置１００は、複数の作業のそれぞれについて、実施時期の入力を受け付けることができ、複数の作業のそれぞれの実施時期を記憶しておくことができる。そして、評価入力装置１００は、作業者などが複数の作業のそれぞれの評価を入力する際に、複数の作業のそれぞれの計画作業時期と実施時期とを提供して、作業者が複数の作業のそれぞれを評価しやすくすることができる。また、評価入力装置１００は、作業者などが複数の作業のそれぞれの内容を検討して、栽培スケジュールの改良を図る際に、複数の作業のそれぞれの実施時期を提供して、栽培スケジュールの改良を支援することができる。作業者は、具体的には、複数の作業のそれぞれが、どのくらいの時期に行われたかを把握して、栽培スケジュールに反映することができる。
【００８０】
＜複数の作業のそれぞれの評価を登録する動作＞
評価入力装置１００が、特定の圃場において行われる複数の作業のそれぞれについて、評価の入力を受け付け、複数の作業のそれぞれに対応づけて評価を登録する動作について説明する。評価とは、作業の結果について価値付けたものである。
【００８１】
表示制御部７０１は、計画作業時期を参照して、複数の作業の計画作業時期の時期順に従って複数の作業をリスト表示するとともに、複数の作業のそれぞれについて、計画作業時期と、実施時期と、評価入力を受け付ける評価入力項目とを表示する。表示制御部７０１は、例えば、生産計画情報５００−１の内容が表示された、図９に示すような評価入力画面９００の画面情報を、クライアント装置２０１に送信する。
【００８２】
クライアント装置２０１は、評価入力画面９００の画面情報を受信すると、評価入力画面９００を表示する。クライアント装置２０１は、不図示のキーボードやマウスを用いたユーザの操作入力により、複数の作業のそれぞれの評価の入力を受け付け、評価入力装置１００に送信する。受付部７０２は、複数の作業のそれぞれの評価を、クライアント装置２０１から受信する。登録部７０３は、複数の作業のそれぞれの評価を、生産計画ＤＢ２２０の生産計画情報５００−１に登録する。
【００８３】
これにより、評価入力装置１００は、複数の作業のそれぞれについて、評価入力を受け付けることができ、複数の作業のそれぞれの評価を記憶しておくことができる。そして、評価入力装置１００は、作業者などが複数の作業のそれぞれの内容を検討して、栽培スケジュールの改良を図る際に、複数の作業のそれぞれの評価を提供して、栽培スケジュールの改良を支援することができる。作業者は、具体的には、複数の作業のそれぞれがどのくらい上手くいったのかを把握して、栽培スケジュールに反映することができる。
【００８４】
＜総合評価を登録する動作＞
評価入力装置１００が、農業生産の最終結果についての総合評価の入力を受け付け、総合評価を登録する動作について説明する。総合評価とは、農業生産の最終結果について価値付けたものである。
【００８５】
表示制御部７０１は、さらに、特定の作物についての栽培についての総合評価入力項目も、複数の作業の個々の評価入力項目の表示と合わせて表示する。表示制御部７０１は、例えば、生産計画情報５００−１の内容が表示され、農業生産の最終結果についての総合評価を受け付ける入力項目が表示された、図１０に示すような評価入力画面１０００の画面情報を、クライアント装置２０１に送信する。
【００８６】
クライアント装置２０１は、評価入力画面１０００の画面情報を受信すると、評価入力画面１０００を表示する。クライアント装置２０１は、不図示のキーボードやマウスを用いたユーザの操作入力により、農業生産の最終結果についての総合評価の入力を受け付け、評価入力装置１００に送信する。受付部７０２は、農業生産の最終結果についての総合評価を、クライアント装置２０１から受信する。登録部７０３は、農業生産の最終結果についての総合評価を生産計画ＤＢ２２０の生産計画情報５００−１に登録する。
【００８７】
これにより、評価入力装置１００は、農業生産についての総合評価入力を受け付けることができ、総合評価を記憶しておくことができる。そして、評価入力装置１００は、作業者などが複数の作業のそれぞれの内容を検討して、栽培スケジュールの改良を図る際に、総合評価を提供して、栽培スケジュールの改良を支援することができる。
【００８８】
＜テンプレートを更新する動作＞
評価入力装置１００が、栽培スケジュールのテンプレートを更新する動作について説明する。栽培スケジュールのテンプレートとは、農業生産における複数の作業のそれぞれの計画作業時期の雛形である。
【００８９】
表示制御部７０１は、さらに、評価入力項目に入力された評価入力の内容に応じて、特定の作物に関する栽培スケジュールのテンプレートに対応する作業の実施時期を反映させるか否かの選択肢を提示する。表示制御部７０１は、例えば、生産計画情報５００−１の内容が表示され、複数の作業のそれぞれの実施時期をテンプレートに反映させるための取込ボタンが表示された、図１１に示すような評価確認画面１１００の画面情報を、クライアント装置２０１に送信する。
【００９０】
クライアント装置２０１は、評価確認画面１１００の画面情報を受信すると、評価入力画面を表示する。クライアント装置２０１は、不図示のキーボードやマウスを用いたユーザの操作入力により、更新ボタンがクリックされると、複数の作業のそれぞれの種別と、実施時期とを、評価入力装置１００に送信する。受付部７０２は、複数の作業のそれぞれの種別と、実施時期とを、クライアント装置２０１から受信する。登録部７０３は、複数の作業のそれぞれの種別と、実施時期とを対応づけたテンプレートを作成して、テンプレートＤＢ２３０に登録する。
【００９１】
これにより、評価入力装置１００は、既存の栽培スケジュールのテンプレートよりも収穫した作物の品質や量が向上する実施時期があれば、既存の栽培スケジュールのテンプレートに当該実施時期を反映させてテンプレートを修正することができる。作業者は、修正したテンプレートを、次回の栽培スケジュールに使用したり、他の作業者に提供することができ、作物の品質や量の向上を図ることができる。
【００９２】
また、評価入力装置１００は、既存の栽培スケジュールのテンプレートとは収穫した作物の品質や量が変化するテンプレートがあれば、新たにテンプレートを作成して記憶することができる。作業者は、既存のテンプレートと新たなテンプレートとを、生産対象となる作物や圃場の状況にあわせて選択して使用することができる。
【００９３】
（生産計画登録画面８００の画面例）
つぎに、図８を用いて、作業者が使用するクライアント装置２０１のディスプレイ４０６に表示される、生産計画登録画面８００の画面例について説明する。以下の説明においては、操作画面に表示されている項目をユーザが選択する操作としてクリック操作を行うことを例として説明する。
【００９４】
図８は、生産計画登録画面８００の画面例を示す説明図である。図８において、生産計画登録画面８００は、作業者が使用するクライアント装置２０１のディスプレイ４０６に表示され、生産計画を登録する際にメインとなる操作画面である。生産計画登録画面８００は、例えば、図４に示した入力装置４０７を用いたユーザの操作入力により、クライアント装置２０１のディスプレイ４０６に表示される。
【００９５】
生産計画登録画面８００において、図４に示した入力装置４０７を用いたユーザの操作入力により、ボックス８０１〜８０３のそれぞれをクリックすると、圃場グループ名、圃場名、分筆名のそれぞれを入力することができる。また、生産計画登録画面８００において、図４に示した入力装置４０７を用いたユーザの操作入力により、ボックス８０４〜８０６のそれぞれをクリックすると、生産対象となる作物の品目、品種、作型のそれぞれを入力することができる。また、生産計画登録画面８００において、図４に示した入力装置４０７を用いたユーザの操作入力により、ボックス８０７〜８０９のそれぞれをクリックすると、反収、収穫量、作付面積のそれぞれを入力することができる。ここで入力される反収、収穫量、作付面積は、計画値である。
【００９６】
また、生産計画登録画面８００において、図４に示した入力装置４０７を用いたユーザの操作入力により、ボックス８１０〜８１３のそれぞれをクリックすると、農業生産における複数の作業のそれぞれの作業種別を入力することができる。また、生産計画登録画面８００において、図４に示した入力装置４０７を用いたユーザの操作入力により、ボックス８１４〜８１７のそれぞれをクリックすると、農業生産における複数の作業のそれぞれの計画作業時期を入力することができる。
【００９７】
また、生産計画登録画面８００において、図４に示した入力装置４０７を用いたユーザの操作入力により、登録ボタン８１８をクリックすると、入力された各種情報を、生産計画情報として、評価入力装置１００に送信することができる。評価入力装置１００は、各種情報を受信すると、各種情報に基づいて生産計画情報となるレコードを作成して生産計画ＤＢ２２０に登録する。
【００９８】
ここで、複数の作業のそれぞれの作業種別と計画作業時期とをユーザの操作入力によって入力しなくてもよい。例えば、生産計画登録画面８００において、図４に示した入力装置４０７を用いたユーザの操作入力により、テンプレート取込ボタン８１９をクリックすると、入力された生産対象となる作物についてのテンプレートを通知する要求を評価入力装置１００に送信することができる。評価入力装置１００は、要求を受信すると、テンプレートＤＢ２３０のテンプレートのうち、生産対象となる作物についてのテンプレートを、クライアント装置２０１に送信する。
【００９９】
クライアント装置２０１は、テンプレートを受信すると、テンプレートに含まれる作業種別、および計画作業時期を、ボックス８１０〜８１７に自動入力する。なお、生産計画登録画面８００において、図４に示した入力装置４０７を用いたユーザの操作入力により、ボックス８１０〜８１７のそれぞれをクリックすると、自動入力された計画作業時期をさらに修正することができる。
【０１００】
このように、クライアント装置２０１において、ユーザは、生産計画情報となる各情報を入力することができる。また、ユーザは、テンプレートに基づいて、複数の作業のそれぞれの作業種別と計画作業時期とを自動入力することができる。これにより、ユーザは、複数の作業のそれぞれの作業種別と計画作業時期とを入力する作業を効率化することができる。
【０１０１】
ここでは、テンプレートに含まれる計画作業時期をそのまま、複数の作業のそれぞれの計画作業時期として自動入力したが、これに限らない。例えば、クライアント装置２０１から販売目標時期を受信した場合、販売目標時期にあわせて、テンプレートに含まれる計画作業時期を修正して、複数の作業の計画作業時期として自動入力してもよい。図８において生産計画情報が生産計画ＤＢ２２０に登録されたとして、図９に示す評価入力画面９００の説明に移行する。
【０１０２】
（評価入力画面９００の画面例）
つぎに、図９を用いて、作業者が使用するクライアント装置２０１のディスプレイ４０６に表示される、評価入力画面９００の画面例について説明する。以下の説明においては、操作画面に表示されている項目をユーザが選択する操作としてクリック操作を行うことを例として説明する。
【０１０３】
図９は、評価入力画面９００の画面例を示す説明図である。図９において、評価入力画面９００は、作業者が使用するクライアント装置２０１のディスプレイ４０６に表示され、農業生産の複数の作業のそれぞれの実施時期と評価とを登録する際にメインとなる操作画面である。評価入力画面９００は、例えば、図４に示した入力装置４０７を用いたユーザの操作入力により、生産計画情報を指定することにより、クライアント装置２０１のディスプレイ４０６に表示される。
【０１０４】
評価入力画面９００には、生産計画ＤＢ２２０に記憶された、特定の作物についての生産計画情報の内容が表示される。評価入力画面９００には、例えば、圃場グループ名「蒲田グループ」、圃場名「本田圃場Ａ−１」、分筆名「Ａ−１−１」が表示される。また、評価入力画面９００には、品目「トマト」、品種「品種Ａ」、作型「露地栽培」が表示される。また、評価入力画面９００には、反収「１５ｔ／１０ａ」、収穫量「７．５ｔ」、作付面積「５．０ａ」が表示される。ｔは、トンである。ａは、アールである。
【０１０５】
評価入力画面９００には、さらに、生産計画情報に含まれる、複数の作業のそれぞれの作業種別、複数の作業のそれぞれが行われる予定の計画作業時期が表示される。評価入力画面９００には、例えば、作業種別「播種」と、作業種別「播種」の作業の計画作業時期「２０１３／０４／０１〜２０１３／０４／０９」とが表示される。
【０１０６】
また、評価入力画面９００には、作業種別「定植」と、作業種別「定植」の作業の計画作業時期「２０１３／０４／１０〜２０１３／０４／３０」とが表示される。また、評価入力画面９００には、作業種別「追肥」と、作業種別「追肥」の作業の計画作業時期「２０１３／０８／０１〜２０１３／０８／０７」とが表示される。また、評価入力画面９００には、作業種別「収穫」と、作業種別「収穫」の作業の計画作業時期「２０１３／０８／２５〜２０１３／０９／０２」とが表示される。
【０１０７】
ここで、生産計画情報に対応する作業実績情報に、複数の作業のそれぞれの実施時期と評価とが設定されていないため、評価入力画面９００には、複数の作業のそれぞれの実施時期と評価とが表示されていない。このとき、評価入力画面９００において、図４に示した入力装置４０７を用いたユーザの操作入力により、ボックス９０１〜９０４のいずれかがクリックされると、クリックを受け付けたボックスに対する実施時期の入力を受け付ける。
【０１０８】
また、評価入力画面９００において、図４に示した入力装置４０７を用いたユーザの操作入力により、アイコン９０５〜９０８のいずれかがクリックされると、農業生産における複数の作業のうちクリックを受け付けた作業種別についての評価の入力を受け付ける。具体的には、評価入力画面９００において、アイコン９０５〜９０８がクリックされると、評価をあらわす「◎、○、×、？」を選択肢としてプルダウンメニュー形式で提示する。そして、評価をあらわす「◎、○、×、？」のうちのいずれかの選択を受け付けることができる。
【０１０９】
そして、評価入力画面９００において、図４に示した入力装置４０７を用いたユーザの操作入力により、登録ボタン９０９がクリックされると、表示中の評価入力画面９００に対して入力された各種情報を、評価入力装置１００に送信することができる。評価入力装置１００は、評価入力画面９００に入力された各種情報を受信すると、評価入力画面９００に入力された各種情報に基づいて生産計画情報を更新する。ここで、実施時期についてのボックス９０１〜９０４のうちの複数に対して入力を受け付けた後に、登録ボタン９０９の１回のクリックを受け付けても構わない。また、作業評価についてのアイコン９０５〜９０８のうちの複数に対して入力を受け付けた後に、登録ボタン９０９の１回のクリックを受け付けても構わない。また、実施時期についてのボックス９０１〜９０４のうちの１以上に対する入力と、作業評価についてのアイコン９０５〜９０８のうちの１以上に対する入力との両方を受け付けた後に、登録ボタン９０９の１回のクリックを受け付けても構わない。
【０１１０】
このように、クライアント装置２０１において、ユーザは、複数の作業のそれぞれの実施時期と評価とを入力することができる。これにより、評価入力装置１００は、クライアント装置２０１において入力された複数の作業のそれぞれの実施時期と評価とを、生産計画情報に登録することができる。このため、ユーザは、複数の作業のそれぞれの実施時期と評価とを登録しておき、農業生産の複数の作業の内容を後々検討する際に参照することができる。
【０１１１】
図９の例では、説明の簡略化のため、複数の作業のそれぞれの実施時期と評価とを、まとめて入力する場合について説明したが、これに限らない。例えば、ユーザは、複数の作業のうちの一つの作業が終了する都度、当該作業の実施時期と評価とを入力してもよい。また、ユーザにより作業の種別を特定した作業実績がシステムに入力されたことを受け、入力された作業実績に示される種別の作業に対する実施時期を反映させてもよい。
【０１１２】
また、図９の例では、画面上部に、表示対象となる特定の作物についての生産計画情報の内容が表示される例を示しているが、これ以外の情報を表示しても構わない。例えば、表示例中の項目「反収」「収穫量」「作付面積」のうちの１以上について、評価入力装置１００が参照可能な状態で実績値のデータが存在すれば、計画値と併せて実績値を表示することができる。図９において複数の作業のそれぞれの実施時期と評価とが入力され、生産計画情報に登録されたとして、図１０に示す評価入力画面１０００の説明に移行する。
【０１１３】
（評価入力画面１０００の画面例）
つぎに、図１０を用いて、農業経営者が使用するクライアント装置２０１のディスプレイ４０６に表示される、評価入力画面１０００の画面例について説明する。以下の説明においては、操作画面に表示されている項目をユーザが選択する操作としてクリック操作を行うことを例として説明する。
【０１１４】
図１０は、評価入力画面１０００の画面例を示す説明図である。図１０では、図９に示す評価入力画面９００に対して、実施時期や作業評価が入力された後の状態を例示している。図１０の評価入力画面１０００は例えば、図９に示す評価入力画面９００に対して１回以上のデータの登録がなされ、生産計画情報が更新された後に、再び、評価入力画面の表示指示を受け付けた場合の状態である。また図１０の評価入力画面１０００は例えば、図９に示す評価入力画面９００に対して、実施時期９０１〜９０４および作業評価９０５〜９０８が入力され、まだ登録ボタン１００３が押下される前の状態である。
【０１１５】
評価入力画面１０００では、複数の作業のそれぞれが行われた実施時期が表示されている。評価入力画面１０００には、例えば、作業種別「播種」の作業が行われた実施時期「２０１３／０３／３１、２０１３／０４／０３、２０１３／０４／１０」と評価「○」とが表示される。
【０１１６】
また、評価入力画面１０００には、作業種別「定植」の作業が行われた実施時期「２０１３／０４／１３、２０１３／０４／２５」と評価「○」とが表示される。また、評価入力画面１０００には、作業種別「追肥」の作業が行われた実施時期「２０１３／０８／１０、２０１３／０８／１２」と評価「○」とが表示される。また、評価入力画面１０００には、作業種別「収穫」の作業が行われた実施時期「２０１３／０８／２５」と評価「○」とが表示される。
【０１１７】
ここで、生産計画情報に、農業生産の最終結果についての総合評価とコメントとが設定されていないため、評価入力画面１０００には、農業生産の最終結果についての総合評価とコメントとが表示されていない。このとき、評価入力画面１０００において、図４に示した入力装置４０７を用いたユーザの操作入力により、アイコン１００１をクリックすると、農業生産の最終結果についての評価を入力することができる。また、評価入力画面１０００において、図４に示した入力装置４０７を用いたユーザの操作入力により、ボックス１００２をクリックすると、農業生産の最終結果についてのコメントを入力することができる。総合評価に関するアイコン１００１や、コメント入力用のボックス１００２に対する入力は、各作業種別についての実施時期及び作業評価が入力済みの場合にのみ、入力可能に制御することができる。また、各作業種別についての実施時期及び作業評価の一部または全部が未入力であっても入力可能に制御してもよい。
【０１１８】
そして、評価入力画面１０００において、図４に示した入力装置４０７を用いたユーザの操作入力により、登録ボタン１００３をクリックすると、入力された内容を、評価入力装置１００に送信することができる。評価入力装置１００は、評価入力画面１０００に入力された各種情報を受信すると、評価入力画面１０００に入力された各種情報に基づいて、生産計画情報を更新する。
【０１１９】
このように、クライアント装置２０１において、ユーザは、農業生産の最終結果についての総合評価とコメントとを入力して、評価入力装置１００に送信することができる。これにより、評価入力装置１００は、クライアント装置２０１において入力された農業生産の最終結果についての総合評価とコメントとを、生産計画情報として登録することができる。このため、ユーザは、農業生産の最終結果についての総合評価とコメントとを登録しておき、農業生産の複数の作業の内容を検討する際に参照することができる。図１０において農業生産の最終結果についての総合評価とコメントとが入力され、生産計画情報として登録されたとして、図１１に示す評価確認画面１１００の説明に移行する。
【０１２０】
（評価確認画面１１００の画面例）
つぎに、図１１を用いて、農業経営者や作業者が使用するクライアント装置２０１のディスプレイ４０６に表示される、評価確認画面１１００の画面例について説明する。以下の説明においては、操作画面に表示されている項目をユーザが選択する操作としてクリック操作を行うことを例として説明する。
【０１２１】
図１１は、評価確認画面１１００の画面例を示す説明図である。図１１において、評価確認画面１１００は、農業経営者や作業者が使用するクライアント装置２０１に表示され、農業生産の複数の作業のそれぞれの評価を確認し、複数の作業のそれぞれの実施時期をテンプレートに反映させる際にメインとなる操作画面である。評価確認画面１１００は、例えば、図４に示した入力装置４０７を用いたユーザの操作入力により、生産計画情報を指定することにより、クライアント装置２０１のディスプレイ４０６に表示される。
【０１２２】
評価確認画面１１００には、図９と同様に、生産計画ＤＢ２２０に記憶された、特定の圃場における特定の作物についての生産計画情報に含まれる、圃場グループ名、圃場名、分筆名、品目、品種、作型、反収、収穫量、作付面積が表示される。また、評価確認画面１１００には、図９と同様に、生産計画情報に含まれる、複数の作業のそれぞれの作業種別、複数の作業のそれぞれの計画作業時期が表示される。
【０１２３】
また、評価確認画面１１００には、図１０と同様に、生産計画情報に含まれる、複数の作業のそれぞれの実施時期、評価が表示される。また、評価確認画面１１００には、さらに、生産計画情報に含まれる、農業生産の最終結果についての総合評価、コメントが表示される。
【０１２４】
また、評価確認画面１１００には、さらに、評価入力装置１００において複数の作業のそれぞれの実施時期に基づいて算出された計画作業時期が表示される。評価確認画面１１００には、例えば、評価入力装置１００において、実施時期「２０１３／０３／３１、２０１３／０４／０３、２０１３／０４／１０」に基づいて算出された計画作業時期「２０１３／０３／３１〜２０１３／０４／１０」が表示される。
【０１２５】
また、評価確認画面１１００には、評価入力装置１００において、実施時期「２０１３／０４／１３、２０１３／０４／２５」に基づいて算出された計画作業時期「２０１３／０４／１３〜２０１３／０４／２５」が表示される。また、評価確認画面１１００には、評価入力装置１００において、実施時期「２０１３／０８／１０、２０１３／０８／１２」に基づいて算出された計画作業時期「２０１３／０８／１０〜２０１３／０８／１２」が表示される。また、評価確認画面１１００には、評価入力装置１００において、実施時期「２０１３／０８／２５」に基づいて算出された計画作業時期「２０１３／０８／２５〜２０１３／０８／２５」が表示される。
【０１２６】
評価確認画面１１００において、図４に示した入力装置４０７を用いたユーザの操作入力により、反映ボタン１１０１をクリックすると、算出された計画作業時期をテンプレートに反映させる要求を、評価入力装置１００に送信することができる。評価入力装置１００は、要求を受信すると、算出された計画作業時期に基づいてテンプレートを作成し、テンプレートＤＢ２３０に登録する。
【０１２７】
このように、クライアント装置２０１において、ユーザは、複数の作業のそれぞれの実施時期に基づいて算出された計画作業時期と実施時期とを把握して、計画作業時期をテンプレートに反映させる要求を、評価入力装置１００に送信することができる。これにより、評価入力装置１００は、複数の作業のそれぞれの実施時期に基づいて算出された計画作業時期を含むテンプレートを作成して、テンプレートＤＢ２３０に登録することができる。このため、ユーザは、農業生産の複数の作業の内容を検討して、新たなテンプレートを作成することができる。
【０１２８】
ここでは、評価入力装置１００は、算出された計画作業時期をそのまま含むテンプレートを作成したが、これに限らない。例えば、評価入力装置１００は、算出された計画作業時期をクライアント装置２０１においてユーザに修正させ、修正された計画作業時期を含むテンプレートを作成してもよい。
【０１２９】
ここでは、評価入力装置１００は、算出された複数の作業のそれぞれの計画作業時期を含むテンプレートを作成したが、これに限らない。例えば、評価入力装置１００は、算出された複数の作業のいずれかの計画作業時期と、既存のテンプレートに含まれる複数の作業のいずれかの計画作業時期とを組み合わせ、組み合わされたそれぞれの計画作業時期を含むテンプレートを作成してもよい。
【０１３０】
（制御処理手順）
つぎに、図１２を用いて、制御処理手順の一例について説明する。
【０１３１】
図１２は、制御処理手順の一例を示すフローチャートである。図１２において、評価入力装置１００は、図１３に後述する計画登録処理、図１４に後述する評価入力処理、図１５に後述する評価確認処理のいずれかの処理が実行対象として選択されたか否かを判定する（ステップＳ１２０１）。
【０１３２】
例えば、評価入力装置１００によって、生産計画登録画面８００の画面情報の要求が受信されることにより、図１３に後述する計画登録処理が実行対象として選択される。また、評価入力装置１００によって、評価入力画面９００，１０００の画面情報の要求が受信されることにより、図１４に後述する評価入力処理が実行対象として選択される。評価入力装置１００によって、評価確認画面１１００の画面情報の要求が受信されることにより、図１５に後述する評価確認処理が実行対象として選択される。
【０１３３】
ここで、図１３に後述する計画登録処理が実行対象として選択された場合（ステップＳ１２０１：計画登録）、評価入力装置１００は、図１３に後述する計画登録処理を実行して（ステップＳ１２０２）、制御処理を終了する。
【０１３４】
一方で、図１４に後述する評価入力処理が実行対象として選択された場合（ステップＳ１２０１：評価入力）、評価入力装置１００は、図１４に後述する評価入力処理を実行して（ステップＳ１２０３）、制御処理を終了する。
【０１３５】
また、図１５に後述する評価確認処理が実行対象として選択された場合（ステップＳ１２０１：評価確認）、評価入力装置１００は、図１５に後述する評価確認処理を実行して（ステップＳ１２０３）、制御処理を終了する。
【０１３６】
上述した計画登録処理、評価入力処理、評価確認処理のそれぞれは、別のプログラムとして表現されていても構わないし、また、実行されるタイミングもそれぞれ別のタイミングであっても構わない。
【０１３７】
つぎに、図１３を用いて、図１２のステップＳ１２０２に示した計画登録処理手順の一例について説明する。
【０１３８】
図１３は、計画登録処理手順の一例を示すフローチャートである。図１３において、評価入力装置１００は、生産計画登録画面８００の画面情報をクライアント装置２０１に送信する（ステップＳ１３０１）。つぎに、評価入力装置１００は、テンプレートを送信するか否かを判定する（ステップＳ１３０２）。ここで、送信しない場合（ステップＳ１３０２：Ｎｏ）、評価入力装置１００は、ステップＳ１３０４の処理に移行する。
【０１３９】
一方で、送信する場合（ステップＳ１３０２：Ｙｅｓ）、評価入力装置１００は、テンプレートをクライアント装置２０１に送信する（ステップＳ１３０３）。ここで、評価入力装置１００は、例えば、クライアント装置２０１から販売目標時期を受信し、販売目標時期にあわせて、テンプレートに含まれる計画作業時期を修正してからクライアント装置２０１に送信してもよい。
【０１４０】
つぎに、評価入力装置１００は、クライアント装置２０１において生産計画登録画面８００に入力された各種情報を、クライアント装置２０１から受信する（ステップＳ１３０４）。そして、評価入力装置１００は、各種情報に基づいて生産計画情報となるレコードを作成して生産計画ＤＢ２２０に登録し（ステップＳ１３０５）、計画登録処理を終了する。これにより、評価入力装置１００は、複数の作業のそれぞれの計画作業時期の入力を受け付けることができる。
【０１４１】
つぎに、図１４を用いて、図１２のステップＳ１２０３に示した評価入力処理手順の一例について説明する。
【０１４２】
図１４は、評価入力処理手順の一例を示すフローチャートである。図１４において、評価入力装置１００は、評価入力画面９００（評価入力画面１０００）の画面情報をクライアント装置２０１に送信する（ステップＳ１４０１）。つぎに、評価入力装置１００は、クライアント装置２０１において評価入力画面９００（評価入力画面１０００）に入力された各種情報をクライアント装置２０１から受信する（ステップＳ１４０２）。
【０１４３】
評価入力装置１００は、例えば、評価入力画面９００に入力された複数の作業のそれぞれの実施時期と評価とを含む各種情報を受信する。または、評価入力装置１００は、評価入力画面１０００に入力された農業生産の最終結果についての総合評価とコメントとを含む各種情報を受信する。
【０１４４】
そして、評価入力装置１００は、受信した各種情報を、生産計画ＤＢ２２０に登録して（ステップＳ１４０３）、評価入力処理を終了する。これにより、評価入力装置１００は、複数の作業のそれぞれの実施時期と評価との入力を受け付けることができる。また、評価入力装置１００は、農業生産の最終結果についての総合評価とコメントとの入力を受け付けることができる。
【０１４５】
つぎに、図１５を用いて、図１２のステップＳ１２０４に示した評価確認処理手順の一例について説明する。
【０１４６】
図１５は、評価確認処理手順の一例を示すフローチャートである。図１５において、評価入力装置１００は、複数の作業のそれぞれの実施時期に基づいて、複数の作業の計画作業時期を算出する（ステップＳ１５０１）。つぎに、評価入力装置１００は、算出した計画作業時期に基づいて評価確認画面１１００の画面情報を作成して、評価確認画面１１００の画面情報をクライアント装置２０１に送信する（ステップＳ１５０２）。そして、評価入力装置１００は、テンプレートを更新するか否かを判定する（ステップＳ１５０３）。ここで、テンプレートを更新しない場合（ステップＳ１５０３：Ｎｏ）、評価入力装置１００は、評価確認処理を終了する。
【０１４７】
一方で、テンプレートを更新する場合（ステップＳ１５０３：Ｙｅｓ）、評価入力装置１００は、クライアント装置２０１において評価確認画面１１００に入力された計画作業時期を含む各種情報を、クライアント装置２０１から受信する（ステップＳ１５０４）。つぎに、評価入力装置１００は、受信した各種情報に基づいてテンプレートを作成して、テンプレートＤＢ２３０に登録する（ステップＳ１５０５）。そして、評価入力装置１００は、評価確認処理を終了する。これにより、評価入力装置１００は、テンプレートを作成して、テンプレートＤＢ２３０に登録することができる。
【０１４８】
以上説明したように、評価入力装置１００によれば、複数の作業のそれぞれについて実施時期の入力を受け付けることができる。さらに、評価入力装置１００によれば、複数の作業をリスト表示するとともに、複数の作業のそれぞれについて、計画作業時期と、実施時期と、評価入力を受け付ける評価入力項目とを表示することができる。
【０１４９】
これにより、評価入力装置１００は、複数の作業のそれぞれについて、実施時期の入力を受け付けることができ、複数の作業のそれぞれの実施時期を記憶しておくことができる。そして、評価入力装置１００は、作業者などが複数の作業のそれぞれの評価を入力する際に、複数の作業のそれぞれの計画作業時期と実施時期とを提供して、作業者が複数の作業のそれぞれを評価しやすくすることができる。
【０１５０】
また、評価入力装置１００は、複数の作業のそれぞれについて、評価入力を受け付けることができ、複数の作業のそれぞれの評価を記憶しておくことができる。そして、評価入力装置１００は、作業者などが複数の作業のそれぞれの内容を検討して、栽培スケジュールの改良を図る際に、複数の作業のそれぞれの実施時期と評価とを提供して、栽培スケジュールの改良を支援することができる。作業者は、具体的には、複数の作業のそれぞれが、どのくらいの時期に行われ、どのくらい上手くいったのかを把握して、栽培スケジュールに反映することができる。
【０１５１】
また、評価入力装置１００によれば、特定の作物についての栽培についての総合評価入力項目も複数の作業の個々の評価入力項目の表示と合わせて表示することができる。これにより、評価入力装置１００は、農業生産についての総合評価入力を受け付けることができ、総合評価を記憶しておくことができる。そして、評価入力装置１００は、作業者などが複数の作業のそれぞれの内容を検討して、栽培スケジュールの改良を図る際に、総合評価を提供して、栽培スケジュールの改良を支援することができる。
【０１５２】
また、評価入力装置１００によれば、評価入力項目に入力された評価入力の内容に応じて、特定の作物に関する栽培スケジュールのテンプレートに対応する作業の実施時期を反映させるか否かの選択肢を提示することができる。これにより、評価入力装置１００は、既存の栽培スケジュールのテンプレートよりも収穫した作物の品質や量が向上する実施時期があれば、既存の栽培スケジュールのテンプレートに当該実施時期を反映させてテンプレートを修正することができる。作業者は、修正したテンプレートを、次回の栽培スケジュールに使用したり、他の作業者に提供することができ、作物の品質や量の向上を図ることができる。
【０１５３】
また、評価入力装置１００によれば、複数の作業のそれぞれが行われるべき計画作業時期を、特定の作物の生育期間と、指定された特定の作物の販売目標時期とに基づいて特定することができる。これにより、評価入力装置１００は、複数の作業のそれぞれの計画作業時期の登録を効率化することができる。
【０１５４】
また、評価入力装置１００によれば、評価入力項目に入力された評価入力の内容に応じて、特定の圃場における特定の作物に関する栽培スケジュールのテンプレートに対応する作業の実施時期を反映させるか否かの選択肢を提示することができる。これにより、評価入力装置１００は、圃場ごとに異なる特定の作物に関する栽培スケジュールを記憶することができる。
【０１５５】
また、評価入力装置１００によれば、反映させると選択されたことに応じて、入力された複数の作業のそれぞれの実施時期を、複数の作業のそれぞれの計画作業時期として含むテンプレートを作成することができる。これにより、評価入力装置１００は、既存の栽培スケジュールのテンプレートとは収穫した作物の品質や量が変化するテンプレートがあれば、新たにテンプレートを作成して記憶することができる。作業者は、既存のテンプレートと新たなテンプレートとを、生産対象となる作物や圃場の状況にあわせて選択して使用することができる。
【０１５６】
なお、本実施の形態で説明した評価入力方法は、予め用意されたプログラムをパーソナル・コンピュータやワークステーション等のコンピュータで実行することにより実現することができる。本評価入力プログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。また本評価入力プログラムは、インターネット等のネットワークを介して配布してもよい。
【０１５７】
上述した実施の形態に関し、さらに以下の付記を開示する。
【０１５８】
（付記１）コンピュータが、
特定の作物を栽培する特定の圃場について、該特定の圃場において行われるべき複数の作業を該複数の作業のそれぞれが行われるべき計画作業時期と対応づけて登録し、
前記特定の圃場において行われる前記複数の作業のうち少なくとも１以上の作業について、実施時期の入力を受け付け、
登録された前記計画作業時期を参照して、前記複数の作業の計画作業時期の時期順に従って前記複数の作業をリスト表示するとともに、前記複数の作業のそれぞれについて、登録された計画作業時期と、少なくとも１以上の作業について入力された実施時期と評価入力を受け付ける評価入力項目とを表示する、
処理を実行することを特徴とする作物の栽培に関する評価入力方法。
【０１５９】
（付記２）前記コンピュータが、
さらに、前記特定の作物についての栽培についての総合評価入力項目も前記複数の作業の個々の評価入力項目の表示と合わせて表示する、
処理を実行することを特徴とする付記１に記載の作物の栽培に関する評価入力方法。
【０１６０】
（付記３）前記コンピュータが、
前記評価入力項目に入力された評価入力の内容に応じて、前記特定の作物に関する栽培スケジュールのテンプレートに対応する作業の実施時期を反映させるか否かの選択肢を提示する、
処理を実行することを特徴とする付記１に記載の作物の栽培に関する評価入力方法。
【０１６１】
（付記４）前記コンピュータが、
さらに、前記複数の作業のそれぞれが行われるべき計画作業時期を、前記特定の作物の生育期間と、指定された前記特定の作物の販売目標時期とに基づいて特定する、
処理を実行することを特徴とする付記１に記載の作物の栽培に関する評価入力方法。
【０１６２】
（付記５）前記提示する処理は、前記評価入力項目に入力された評価入力の内容に応じて、前記特定の圃場における前記特定の作物に関する栽培スケジュールのテンプレートに対応する作業の実施時期を反映させるか否かの選択肢を提示することを特徴とする付記３に記載の作物の栽培に関する評価入力方法。
【０１６３】
（付記６）前記コンピュータが、
反映させると選択されたことに応じて、入力された前記複数の作業のそれぞれの実施時期を、前記複数の作業のそれぞれの計画作業時期として含むテンプレートを作成する、
処理を実行することを特徴とする付記３に記載の作物の栽培に関する評価入力方法。
【０１６４】
（付記７）コンピュータに、
特定の作物を栽培する特定の圃場について、該特定の圃場において行われるべき複数の作業を該複数の作業のそれぞれが行われるべき計画作業時期と対応づけて登録し、
前記特定の圃場において行われる前記複数の作業のうち少なくとも１以上の作業について、実施時期の入力を受け付け、
登録された前記計画作業時期を参照して、前記複数の作業の計画作業時期の時期順に従って前記複数の作業をリスト表示するとともに、前記複数の作業のそれぞれについて、登録された計画作業時期と、少なくとも１以上の作業について入力された実施時期と、評価入力を受け付ける評価入力項目とを表示する、
処理を実行させることを特徴とする作物の栽培に関する評価入力プログラム。
【０１６５】
（付記８）特定の作物を栽培する特定の圃場について、該特定の圃場において行われるべき複数の作業を該複数の作業のそれぞれが行われるべき計画作業時期と対応づけて登録し、前記特定の圃場において行われる前記複数の作業のうち少なくとも１以上の作業について、実施時期の入力を受け付け、登録された前記計画作業時期を参照して、前記複数の作業の計画作業時期の時期順に従って前記複数の作業をリスト表示するとともに、前記複数の作業のそれぞれについて、登録された計画作業時期と、少なくとも１以上の作業について入力された実施時期と、評価入力を受け付ける評価入力項目とを表示する制御部を有することを特徴とする作物の栽培に関する評価入力装置。
【符号の説明】
【０１６６】
１００  評価入力装置
２０１  クライアント装置
７０１  表示制御部
７０２  受付部
７０３  登録部
８００  生産計画登録画面
９００、１０００  評価入力画面
１１００  評価確認画面
【国際調査報告】
2015173876.tif 000018
2015173876.tif 000019
2015173876.tif 000020
2015173876.tif 000021